(57)【要約】【課題】ユーザの利便性を高めることができる画像処理装置を得る。【解決手段】本発明の画像処理装置は、第１の通信部に、携帯端末と通信を行わせることにより、携帯端末の状態を示す状態情報と、携帯端末の識別情報とを取得する取得部と、識別情報に基づいて第１の認証処理を行う認証部と、携帯端末との間で画像データのやり取りを行う第２の通信部と、認証情報の入力を受け付ける認証待機画面と、第１の認証情報に対応する第１の認証後画面とを表示する表示部と、表示部が認証待機画面を表示しているときに第１の認証処理が成功した場合に、状態情報に基づいて、表示部に第１の認証後画面を表示させる第１の動作、および表示部に第１の認証後画面を表示させずに第２の通信部に画像データのやりとりを行わせる第２の動作のうちの一方を選択する制御部とを備える。【選択図】図４
2018086783.tif 000002
【特許請求の範囲】
【請求項１】
第１の通信部に、携帯端末と通信を行わせることにより、前記携帯端末の状態を示す状態情報と、前記携帯端末の識別情報とを取得する取得部と、
前記識別情報に基づいて第１の認証処理を行う認証部と、
前記携帯端末との間で画像データのやり取りを行う第２の通信部と、
認証情報の入力を受け付ける認証待機画面と、第１の認証情報に対応する第１の認証後画面とを表示する表示部と、
前記表示部が前記認証待機画面を表示しているときに前記第１の認証処理が成功した場合に、前記状態情報に基づいて、前記表示部に前記第１の認証後画面を表示させる第１の動作、および前記表示部に前記第１の認証後画面を表示させずに前記第２の通信部に前記画像データのやりとりを行わせる第２の動作のうちの一方を選択する制御部と
を備えた画像処理装置。
【請求項２】
前記表示部は、第２の認証情報に対応する第２の認証後画面をも表示し、
前記制御部は、さらに、前記表示部が前記第２の認証後画面を表示しているときに前記第１の認証処理が成功した場合に、前記状態情報に基づいて、前記第２の通信部に前記画像データのやりとりを行わせる第３の動作を行うかどうかを決定する
請求項１に記載の画像処理装置。
【請求項３】
前記制御部は、さらに、前記表示部が前記第２の認証後画面を表示しているときに前記第１の認証処理が成功した場合に、前記状態情報に基づいて、前記表示部に前記第１の認証後画面を表示させる第４の動作を行うかどうかを決定する
請求項２に記載の画像処理装置。
【請求項４】
前記状態情報は、前記携帯端末が所定の処理を行っているか否かを示す情報である
請求項１から請求項３のいずれか一項に記載の画像処理装置。
【請求項５】
前記画像データは印刷データであり、
前記第２の通信部は、前記携帯端末から前記印刷データを受け取り、
前記所定の処理は、前記印刷データが示す画像を前記携帯端末の表示部に表示させる処理である
請求項４に記載の画像処理装置。
【請求項６】
前記画像データは読取データであり、
前記第２の通信部は、前記携帯端末に前記読取データを供給し、
前記所定の処理は、前記読取データが示す画像を前記携帯端末の表示部に表示させる準備をする処理である
請求項４に記載の画像処理装置。
【請求項７】
前記状態情報が、前記携帯端末が前記所定の処理を行っていないことを示す情報である場合には、前記制御部は、前記第１の動作を選択する
請求項４から請求項６のいずれか一項に記載の画像処理装置。
【請求項８】
前記状態情報が、前記携帯端末が前記所定の処理を行っていることを示す場合には、前記制御部は、前記第２の動作を選択する
請求項４から請求項７のいずれか一項に記載の画像処理装置。
【請求項９】
前記第１の通信部は、前記制御部が前記第２の動作を選択した場合には、前記携帯端末に対して、前記第２の通信部と通信するための通信設定情報を供給する
請求項８に記載の画像処理装置。
【請求項１０】
前記画像データは印刷データであり、
前記印刷データは、前記識別情報を含み、
前記第２の通信部は、前記携帯端末から前記印刷データを受け取り、
前記認証部は、前記印刷データに含まれる前記識別情報に基づいて第２の認証処理を行う
請求項９に記載の画像処理装置。
【請求項１１】
前記認証部は、前記第１の認証情報および前記識別情報を互いに対応づけて記憶し、
前記制御部が前記第２の動作を選択した場合には、前記第１の通信部は、前記携帯端末に対して、前記通信設定情報に加え、前記識別情報に対応する前記第１の認証情報をも供給する
請求項９に記載の画像処理装置。
【請求項１２】
前記画像データは印刷データであり、
前記印刷データは、前記第１の認証情報を含み、
前記第２の通信部は、前記携帯端末から前記印刷データを受け取り、
前記認証部は、前記印刷データに含まれる前記第１の認証情報に基づいて第２の認証処理を行う
請求項１１に記載の画像処理装置。
【請求項１３】
前記第２の認証処理が成功した場合に、前記印刷データに基づいて画像を形成する画像形成部をさらに備えた
請求項１０または請求項１２に記載の画像処理装置。
【請求項１４】
画像読取部をさらに備え、
前記画像データは読取データであり、
前記画像読取部は、画像を読み取ることにより前記読取データを生成し、
前記第２の通信部は、前記携帯端末に対して前記読取データを供給する
請求項１から請求項４のいずれか一項に記載の画像処理装置。
【請求項１５】
前記第１の通信部は、近距離無線通信により、前記携帯端末との間で通信を行う
請求項１から請求項１４のいずれか以降に記載の画像処理装置。
【請求項１６】
前記第１の通信部をさらに備えた
請求項１から請求項１５のいずれか以降に記載の画像処理装置。
【請求項１７】
携帯端末と通信を行う通信部と、
前記通信部を用いた通信により、前記携帯端末の状態を示す状態情報と、前記携帯端末の識別情報とを取得する取得部と、
前記取得部により取得された前記識別情報に基づいて認証処理を行う認証部と、
前記認証部において前記識別情報に基づく前記認証処理が成功すると、前記識別情報に対応するユーザによるログイン状態に移行するか、前記ログイン状態に移行せずに前記携帯端末から画像データを受信するかを、前記状態情報に基づいて決定する制御部と
を備えた画像処理装置。
【請求項１８】
画像処理装置と、
携帯端末と
を備え、
前記画像処理装置は、
第１の通信部に、前記携帯端末と通信を行わせることにより、前記携帯端末の状態を示す状態情報と、前記携帯端末の識別情報とを取得する取得部と、
前記識別情報に基づいて第１の認証処理を行う認証部と、
前記携帯端末との間で画像データのやり取りを行う第２の通信部と、
認証情報の入力を受け付ける認証待機画面と、第１の認証情報に対応する第１の認証後画面とを表示する表示部と、
前記表示部が前記認証待機画面を表示しているときに前記第１の認証処理が成功した場合に、前記状態情報に基づいて、前記表示部に前記第１の認証後画面を表示させる第１の動作、および前記表示部に前記第１の認証後画面を表示させずに前記第２の通信部に前記画像データのやりとりを行わせる第２の動作のうちの一方を選択する制御部と
を有する
画像処理システム。
【請求項１９】
前記携帯端末は、
前記第１の通信部との間で通信を行う第３の通信部と、
前記第２の通信部との間で前記画像データのやりとりを行う第４の通信部と
を有し、
前記第１の通信部は、前記制御部が前記第２の動作を選択した場合には、前記携帯端末の前記第３の通信部に対して通信設定情報を供給し、
前記第４の通信部は、前記通信設定情報を用いて通信設定を行うことにより、前記第２の通信部と通信を行う
請求項１８に記載の画像処理システム。
【発明の詳細な説明】
【技術分野】
【０００１】
本発明は、画像を処理する画像処理装置、およびそのような画像処理装置を有する画像処理システムに関する。
【背景技術】
【０００２】
例えば、画像形成装置には、ユーザに認証情報を入力させ、その認証情報に基づいて認証処理を行い、認証処理が成功した場合に、ユーザの指示に応じた処理を行うものがある（例えば特許文献１など）。
【先行技術文献】
【特許文献】
【０００３】
【特許文献１】特開２００８−０４４２６４号公報
【発明の概要】
【発明が解決しようとする課題】
【０００４】
ところで、電子機器は、ユーザの利便性が高いことがのぞまれており、画像を処理する画像処理装置においても、さらなる利便性の向上が期待されている。
【０００５】
ユーザの利便性を高めることができる画像処理装置および画像処理システムを提供することが望ましい。
【課題を解決するための手段】
【０００６】
本発明の一実施の形態における第１の画像処理装置は、取得部と、認証部と、第２の通信部と、表示部と、制御部とを備えている。取得部は、第１の通信部に、携帯端末と通信を行わせることにより、携帯端末の状態を示す状態情報と、携帯端末の識別情報とを取得するものである。認証部は、識別情報に基づいて第１の認証処理を行うものである。第２の通信部は、携帯端末との間で画像データのやり取りを行うものである。表示部は、認証情報の入力を受け付ける認証待機画面と、第１の認証情報に対応する第１の認証後画面とを表示するものである。制御部は、表示部が認証待機画面を表示しているときに第１の認証処理が成功した場合に、状態情報に基づいて、表示部に第１の認証後画面を表示させる第１の動作、および表示部に第１の認証後画面を表示させずに第２の通信部に画像データのやりとりを行わせる第２の動作のうちの一方を選択するものである。
【０００７】
本発明の一実施の形態における第２の画像処理装置は、通信部と、取得部と、認証部と、制御部とを備えている。通信部は、携帯端末と通信を行うものである。取得部は、通信部を用いた通信により、携帯端末の状態を示す状態情報と、携帯端末の識別情報とを取得するものである。認証部は、取得部により取得された識別情報に基づいて認証処理を行うものである。制御部は、認証部において識別情報に基づく認証処理が成功すると、識別情報に対応するユーザによるログイン状態に移行するか、ログイン状態に移行せずに携帯端末から画像データを受信するかを、状態情報に基づいて決定するものである。
【０００８】
本発明の一実施の形態における画像処理システムは、画像処理装置と、携帯端末とを備えている。画像処理装置は、取得部と、認証部と、第２の通信部と、表示部と、制御部とを有している。取得部は、第１の通信部に、携帯端末と通信を行わせることにより、携帯端末の状態を示す状態情報と、携帯端末の識別情報とを取得するものである。認証部は、識別情報に基づいて第１の認証処理を行うものである。第２の通信部は、携帯端末との間で画像データのやり取りを行うものである。表示部は、認証情報の入力を受け付ける認証待機画面と、第１の認証情報に対応する第１の認証後画面とを表示するものである。制御部は、表示部が認証待機画面を表示しているときに第１の認証処理が成功した場合に、状態情報に基づいて、表示部に第１の認証後画面を表示させる第１の動作、および表示部に第１の認証後画面を表示させずに第２の通信部に画像データのやりとりを行わせる第２の動作のうちの一方を選択するものである。
【発明の効果】
【０００９】
本発明の一実施の形態における第１の画像処理装置および画像処理システムによれば、表示部が認証待機画面を表示しているときに第１の認証処理が成功した場合に、状態情報に基づいて、表示部に第１の認証後画面を表示させる第１の動作、および表示部に第１の認証後画面を表示させずに第２の通信部に画像データのやりとりを行わせる第２の動作のうちの一方を選択するようにしたので、ユーザの利便性を高めることができる。
【００１０】
本発明の一実施の形態における第２の画像処理装置によれば、認証部において識別情報に基づく認証処理が成功した場合に、状態情報に基づいて、識別情報に対応するユーザによるログイン状態に移行するか、ログイン状態に移行せずに携帯端末から画像データを受信するかを決定するようにしたので、ユーザの利便性を高めることができる。
【図面の簡単な説明】
【００１１】
【図１】本発明の一実施の形態に係る画像処理システムの一構成例を表すブロック図である。
【図２Ａ】認証待機画面の一例を表す説明図である。
【図２Ｂ】メニュー画面の一例を表す説明図である。
【図３】図１に示したユーザ管理情報の一構成例を表す説明図である。
【図４】図１に示した画像処理装置のソフトウェア構成の一例を表すブロック図である。
【図５】図１に示したスマートフォンの一構成例を表すブロック図である。
【図６】図５に示したスマートフォンのソフトウェア構成の一例を表すブロック図である。
【図７Ａ】管理者認証画面の一例を表す説明図である。
【図７Ｂ】ユーザ管理画面の一例を表す説明図である。
【図７Ｃ】ユーザ情報編集画面の一例を表す説明図である。
【図８Ａ】ホーム画面の一例を表す説明図である。
【図８Ｂ】印刷プレビュー画面の一例を表す説明図である。
【図８Ｃ】端末識別情報表示画面の一例を表す説明図である。
【図９】印刷データの一例を表す説明図である。
【図１０】ＮＤＥＦタグアプリケーションの一例を表す説明図である。
【図１１】“ＮＤＥＦ  Ｆｉｌｅ１”のＮＤＥＦメッセージの一例を表す説明図である。
【図１２】“ＮＤＥＦ  Ｆｉｌｅ２”のＮＤＥＦメッセージの一例を表す説明図である。
【図１３Ａ】図１に示した画像処理システムの一動作例を表すシーケンス図である。
【図１３Ｂ】図１に示した画像処理システムの一動作例を表す他のシーケンス図である。
【図１４】図１に示した画像処理システムの他の動作例を表すシーケンス図である。
【図１５Ａ】変形例に係る画像処理システムの一動作例を表すシーケンス図である。
【図１５Ｂ】変形例に係る画像処理システムの一動作例を表す他のシーケンス図である。
【図１６】変形例に係る“ＮＤＥＦ  Ｆｉｌｅ２”のＮＤＥＦメッセージの一例を表す説明図である。
【発明を実施するための形態】
【００１２】
以下、本発明の実施の形態について、図面を参照して詳細に説明する。
【００１３】
＜実施の形態＞
［構成例］
（全体構成例）
図１は、本発明の一実施の形態に係る画像処理システム（画像処理システム１）の一構成例を表すものである。画像処理システム１は、画像処理装置１０と、リーダライタ８と、パーソナルコンピュータ９と、スマートフォン４０とを備えている。
【００１４】
画像処理装置１０は、プリント、コピー、スキャナ、ファックスなどの機能を有する、いわゆる多機能周辺装置（ＭＦＰ；Multi Function Peripheral）である。画像処理装置１０は、有線ネットワークＮＥＴに接続され、この有線ネットワークＮＥＴを介してパーソナルコンピュータ９と通信を行う。有線ネットワークＮＥＴは、例えば、有線ＬＡＮ（Local Area Network）を用いて構成されるものである。また、画像処理装置１０は、例えばＵＳＢ（Universal Serial Bus）を用いてリーダライタ８に接続され、リーダライタ８とスマートフォン４０との間で近距離無線通信（ＮＦＣ；Near Field Communication）Ｃ１を行わせることにより、スマートフォン４０と通信を行う。また、画像処理装置１０は、スマートフォン４０と、例えば無線ＬＡＮを用いて無線ネットワーク通信Ｃ２を行うようになっている。
【００１５】
この画像処理装置１０は、ログイン処理を行った後に、ユーザが画像処理装置１０を使用できるように構成されている。ここで、ログイン処理とは、認証情報が入力されてから、ユーザが画像処理装置１０を使用できる状態にするまでの一連の処理をいい、例えば、入力された認証情報に基づいて認証を行う認証処理と、使用権限の設定など、そのユーザに関する各種設定を反映する処理とを含む。
【００１６】
例えば、画像処理装置１０は、図２Ａに示す認証待機画面１１０を表示し、ユーザによる認証情報の入力を待つ。この例では、認証待機画面１１０には、ユーザ名入力欄１１１、パスワード入力欄１１２、および“ログイン”ボタン１１３が設けられている。そして、ユーザが、ユーザ名ＵＮをユーザ名入力欄１１１に入力するとともにパスワードＰＷをパスワード入力欄１１２に入力し、“ログイン”ボタン１１３を操作することにより、画像処理装置１０は、入力されたユーザ名ＵＮおよびパスワードＰＷに基づいて認証処理を行う。そして、認証処理が成功すると、画像処理装置１０は、そのユーザに関する各種設定を行い、表示画面を、認証待機画面１１０から、図２Ｂに示すメニュー画面１２０に切り替える。この例では、メニュー画面１２０には、複数の機能アイコン１２１、および“ログアウト”ボタン１２２が設けられている。メニュー画面１２０の左上には、ユーザ名ＵＮが表示される。そして、ユーザが、機能アイコン１２１を操作して、使用したい機能を選択することにより、画像処理装置１０は、ユーザの指示に基づいて処理を行う。例えば、使用権限が設定されている場合には、複数の機能アイコン１２１のうち、そのユーザが使用を許可されている機能に係るアイコンをカラーで表示し、使用を許可されていない機能に係るアイコンをグレースケールで表示してもよい。そして、ユーザが、“ログアウト”ボタン１２２を操作することにより、画像処理装置１０は、ログアウト処理を行う。これにより、画像処理装置１０は、表示画面を、認証待機画面１１０（図２Ａ）に戻し、次のユーザによる認証情報の入力を待つようになっている。
【００１７】
また、この画像処理装置１０では、画像処理装置１０に認証情報を直接入力せずに、スマートフォン４０を用いてログイン処理を行うことができるようになっている。具体的には、画像処理装置１０では、図２Ａに示したように、認証待機画面１１０に、”携帯端末による認証も可能です”とのメッセージ１１４が表示される。そして、ユーザが、スマートフォン４０をリーダライタ８にかざすことにより、画像処理装置１０は、スマートフォン４０から近距離無線通信Ｃ１を用いてそのスマートフォン４０の端末識別情報ＩＤ（後述）を受け取り、この端末識別情報ＩＤに基づいて認証処理を行うことができるようになっている。
【００１８】
リーダライタ８は、近距離無線通信Ｃ１を用いてスマートフォン４０と通信を行うものである。このリーダライタ８は、ＵＳＢを用いて画像処理装置１０に接続されている。なお、この例では、リーダライタ８を、ＵＳＢを用いて画像処理装置１０に接続したが、これに限定されるものではなく、例えば、有線ネットワークＮＥＴを介して画像処理装置１０に接続してもよい。また、画像処理装置１０にリーダライタを内蔵してもよい。
【００１９】
パーソナルコンピュータ９は、有線ネットワークＮＥＴに接続され、この有線ネットワークＮＥＴを介して画像処理装置１０と通信を行うものである。この例では、パーソナルコンピュータ９は、ユーザが作成した文書や画像に基づいて印刷データＤＰを生成し、この印刷データＤＰを、有線ネットワークＮＥＴを介して画像処理装置１０に供給する。また、パーソナルコンピュータ９は、例えばＷＥＢブラウザを用いて、ユーザ操作に基づいて、画像処理装置１０の各種設定を行うことができるようになっている。
【００２０】
なお、この例では、パーソナルコンピュータ９は、有線ネットワークＮＥＴを介して画像処理装置１０と通信を行うようにしたが、これに限定されるものではない。例えば、無線ＬＡＮを用いて画像処理装置１０と通信を行うようにしてもよい。
【００２１】
スマートフォン４０は、携帯電話、カメラ、電子メールの送受信、ＷＥＢページ閲覧などの機能を有する、いわゆる高機能携帯電話である。スマートフォン４０は、リーダライタ８と近距離無線通信Ｃ１を行うことにより、画像処理装置１０に端末識別情報ＩＤ（後述）および無線情報要求フラグＦ（後述）を供給する。これにより、画像処理装置１０では、端末識別情報ＩＤに基づいて認証処理を行うことができる。また、スマートフォン４０は、無線ネットワーク通信Ｃ２を用いて画像処理装置１０と通信を行う機能をも有している。具体的には、後述するように、スマートフォン４０が、画像処理装置１０に、“ＯＮ”を示す無線情報要求フラグＦを供給した場合には、画像処理装置１０からネットワーク設定情報ＩＮ（後述）がスマートフォン４０に供給される。スマートフォン４０は、このネットワーク設定情報ＩＮに基づいて、ネットワーク設定を行い、無線ネットワーク通信Ｃ２を用いて画像処理装置１０と通信を行う。これにより、スマートフォン４０は、無線ネットワーク通信Ｃ２により、印刷データＤＰを画像処理装置１０に供給することができるようになっている。
【００２２】
なお、この例では、スマートフォンを用いたが、これに限定されるものではなく、これに代えて、タブレット端末などの様々な携帯端末を用いることができる。
【００２３】
この構成により、画像処理装置１０は、例えば、有線ネットワークＮＥＴを介してパーソナルコンピュータ９から印刷データＤＰが供給された場合には、その印刷データＤＰに基づいて、記録媒体に画像を形成する。また、画像処理装置１０は、ユーザがスマートフォン４０をリーダライタ８にかざし、スマートフォン４０から近距離無線通信Ｃ１により端末識別情報ＩＤ（後述）および無線情報要求フラグＦ（後述）が供給された場合には、この端末識別情報ＩＤに基づいて認証処理を行う。そして、画像処理装置１０は、この認証処理が成功した場合には、後述するように、無線情報要求フラグＦに応じて、例えば、画像処理装置１０の表示画面を認証待機画面１１０（図２Ａ）からメニュー画面１２０（図２Ｂ）に切り替え、あるいは、表示画面を認証待機画面１１０に維持したまま、スマートフォン４０から無線ネットワーク通信Ｃ２を用いて供給された印刷データＤＰに基づいて、記録媒体に画像を形成するようになっている。
【００２４】
（画像処理装置１０）
画像処理装置１０は、有線ネットワークインタフェース１１と、無線ネットワークインタフェース１２と、ＵＳＢインタフェース１３と、ＦＡＸインタフェース１４と、タッチパネル１５と、記憶部１６と、画像読取部１７と、画像形成部１８と、制御部１９とを有している。
【００２５】
有線ネットワークインタフェース１１は、有線ネットワークＮＥＴを介してパーソナルコンピュータ９と通信を行うものである。無線ネットワークインタフェース１２は、無線ネットワーク通信Ｃ２を用いてスマートフォン４０と通信を行うものである。ＵＳＢインタフェース１３は、ＵＳＢを用いてリーダライタ８と通信を行うものである。ＦＡＸインタフェース１４は、電話回線を介して通信相手との間でデータを送受信するものである。
【００２６】
タッチパネル１５は、例えば、液晶ディスプレイおよびタッチセンサを含んで構成され、画像処理装置１０の動作状態などを表示するとともに、ユーザの操作を受け付けるものである。
【００２７】
記憶部１６は、例えばＲＯＭ（Read Only Memory）や不揮発性のメモリを用いて構成されるものである。記憶部１６は、例えば、装置制御、通信制御、印刷制御などの各種制御に用いられる制御プログラム、画像処理装置１０の設定情報、印刷データＤＰ、印刷データＤＰに基づいて生成された中間画像データなどを記憶する。また、記憶部１６は、ユーザ管理情報１６Ａおよびログ情報１６Ｂを記憶する。
【００２８】
ユーザ管理情報１６Ａは、画像処理装置１０を使用するユーザについての情報（ユーザ情報ＩＵ）が登録されたものである。
【００２９】
図３は、ユーザ管理情報１６Ａの一構成例を表すものである。ユーザ管理情報１６Ａは、ユーザ名ＵＮ、パスワードＰＷ、端末識別情報ＩＤ、ユーザ種別ＵＴ、および使用権限情報ＩＡについての情報を有している。ユーザ名ＵＮ、パスワードＰＷ、端末識別情報ＩＤ、ユーザ種別ＵＴ、および使用権限情報ＩＡは、互いに関連づけられて、ユーザ情報ＩＵとして記憶されている。
【００３０】
ユーザ名ＵＮは、画像処理装置１０を使用するユーザを識別するための名前であり、互いに重複しないように設定されている。ユーザ管理情報１６Ａにおいて記憶されるパスワードＰＷは、例えばユーザが設定したパスワードそのものであってもよいし、ユーザが設定したパスワードを暗号化したものであってもよいし、ユーザが設定したパスワードのハッシュ値であってもよい。
【００３１】
端末識別情報ＩＤは、スマートフォン４０など、画像処理装置１０と通信を行う携帯端末を識別するための識別情報である。端末識別情報ＩＤは、例えば、スマートフォン４０の無線ネットワークインタフェース４２（後述）のＭＡＣ（Media Access Control）アドレスのハッシュ値であってもよい。また、例えば、インターネットに、端末識別情報ＩＤを発行するサーバを設け、このサーバから端末識別情報ＩＤを取得してもよい。
【００３２】
ユーザ種別ＵＴは、ユーザが管理者であるか一般ユーザであるかを示すものである。この例では、ユーザが管理者である場合には、ユーザ種別ＵＴは“Ａ”に設定され、ユーザが一般ユーザである場合には、ユーザ種別ＵＴは“Ｕ”に設定される。
【００３３】
使用権限情報ＩＡは、ユーザに画像処理装置１０の各機能の使用を許可するかどうかを示すものである。この使用権限情報ＩＡを設定することにより、例えば、あるユーザに対して、“プリント”機能および“コピー”機能の使用を許可し、“スキャン”機能および“ファックス”機能の使用を禁止することができる。また、あるユーザに対して、白黒プリントを許可し、カラープリントを禁止することができる。
【００３４】
この例では、あるユーザ情報ＩＵでは、ユーザ名ＵＮが“admin”に設定され、パスワードＰＷが“pass_admin”に設定され、ユーザ種別ＵＴが“Ａ”（管理者）に設定され、そのユーザが所有する携帯端末の端末識別情報ＩＤおよびそのユーザについての使用権限情報ＩＡ１が設定されている。同様に、他のユーザ情報ＩＵでは、例えば、ユーザ名ＵＮが“user1”に設定され、パスワードＰＷが“pass_1”に設定され、ユーザ種別ＵＴが“Ｕ”（一般ユーザ）に設定され、そのユーザが所有する携帯端末の端末識別情報ＩＤ、およびそのユーザについての使用権限情報ＩＡ２が設定されている。
【００３５】
このユーザ管理情報１６Ａは、例えば管理者のみが編集できるようにすることが望ましい。例えば、初期状態では、ユーザ管理情報１６Ａには、例えば管理者のユーザ名ＵＮおよびパスワードＰＷが登録されている。そして、管理者は、そのユーザ名ＵＮおよびパスワードＰＷを入力し、ユーザ管理情報１６Ａに、画像処理装置１０を使用するユーザを登録する。
【００３６】
ログ情報１６Ｂは、画像処理装置１０の処理履歴である。ログ情報１６Ｂは、例えば、処理に係るユーザ名ＵＮ、ジョブ名、処理の内容、処理日時などについての情報を含んでいる。
【００３７】
画像読取部１７（図１）は、紙などの読取媒体に印刷された情報を読み取るものであり、例えばＣＩＳ（Contact Image Sensor）を用いて構成される。画像形成部１８は、紙などの記録媒体に画像を形成するものであり、例えば、電子写真方式を用いて画像を形成するようになっている。
【００３８】
制御部１９は、各種プログラムを実行することにより、画像処理装置１０内の各ブロックの動作を制御するものである。制御部１９は、例えば、ＣＰＵ（Central Processing Unit）やＲＡＭ（Random Access Memory）などを用いて構成される。
【００３９】
図４は、画像処理装置１０におけるソフトウェア構成の一例を表すものである。この図４は、印刷データＤＰに基づいて記録媒体に画像を形成する機能を実現するソフトウェアについて描いている。画像処理装置１０は、ＴＣＰ／ＩＰ（Transmission Control Protocol / Internet Protocol）有線通信部２１と、有線通信設定部２２と、ＴＣＰ／ＩＰ無線通信部２３と、無線通信設定部２４と、ＴＣＰ／ＩＰ通信制御部２９と、ＵＳＢ通信部２５と、リーダライタ制御部２６と、タッチパネル制御部２７と、ＷＥＢサーバ部３１と、ユーザ情報設定部３２、認証部３３と、印刷データ解析部３６と、印刷実行部３７と、ログ出力部３８とを有している。
【００４０】
ＴＣＰ／ＩＰ有線通信部２１は、有線ネットワークインタフェース１１を用いて、パーソナルコンピュータ９と通信を行うものである。有線通信設定部２２は、ＴＣＰ／ＩＰ有線通信部２１が通信を行う際のネットワーク設定を行うとともに、そのネットワーク設定を管理するものである。
【００４１】
ＴＣＰ／ＩＰ無線通信部２３は、無線ネットワークインタフェース１２を用いて、スマートフォン４０と通信（無線ネットワーク通信Ｃ２）を行うものである。無線通信設定部２４は、ＴＣＰ／ＩＰ無線通信部２３が通信を行う際のネットワーク設定を行うとともに、そのネットワーク設定を管理するものである。無線通信設定部２４は、ネットワーク設定情報ＩＮを記憶している。このネットワーク設定情報ＩＮは、ＴＣＰ／ＩＰ無線通信部２３がアクセスポイントとして動作したときに、スマートフォン４０が無線ネットワーク通信Ｃ２によりＴＣＰ／ＩＰ無線通信部２３に接続するための設定情報であり、例えば、ＳＳＩＤ（Service Set Identifier）、パスワード、セキュリティの種類、ＩＰアドレスなどについての情報を含んでいる。
【００４２】
ＴＣＰ／ＩＰ通信制御部２９は、ＴＣＰ／ＩＰ有線通信部２１およびＴＣＰ／ＩＰ無線通信部２３における通信動作を制御することにより、画像処理装置１０と外部機器との通信を管理するものである。
【００４３】
ＵＳＢ通信部２５は、ＵＳＢインタフェース１３を用いて、リーダライタ８と通信を行うものである。
【００４４】
リーダライタ制御部２６は、リーダライタ８とスマートフォン４０との間の近距離無線通信Ｃ１における通信動作を制御するものである。また、リーダライタ制御部２６は、スマートフォン４０から端末識別情報ＩＤを受け取った場合には、この端末識別情報ＩＤを認証部３３に供給して、認証部３３に認証処理を依頼する。また、リーダライタ制御部２６は、スマートフォン４０から“ＯＮ”を示す無線情報要求フラグＦが供給された場合には、無線通信設定部２４からネットワーク設定情報ＩＮを取得し、そのネットワーク設定情報ＩＮをスマートフォン４０に供給する。また、リーダライタ制御部２６は、スマートフォン４０との間の通信結果に基づいて、タッチパネル制御部２７に対して画面の表示を指示する機能をも有している。具体的には、例えば、画像処理装置１０のタッチパネル１５が認証待機画面１１０（図２Ａ）を表示しているときに、スマートフォン４０から、“ＯＦＦ”を示す無線情報要求フラグＦが供給された場合には、その旨をタッチパネル制御部２７に通知する。これにより、タッチパネル制御部２７は、タッチパネル１５の表示画面を認証待機画面１１０からメニュー画面１２０（図２Ｂ）に切り替えるようになっている。
【００４５】
タッチパネル制御部２７は、タッチパネル１５に対して画面の表示を指示するとともに、タッチパネル１５が受け付けたユーザ操作についての情報を、画像処理装置１０において実行される各種プログラムに引き渡すものである。例えば、タッチパネル制御部２７は、タッチパネル１５が認証待機画面１１０（図２Ａ）を表示しているときに、ユーザがタッチパネル１５を操作してユーザ名ＵＮおよびパスワードＰＷを入力した場合には、そのユーザ名ＵＮおよびパスワードＰＷを認証部３３に供給して、認証部３３に認証処理を依頼する。そして、認証処理が成功した場合には、タッチパネル制御部２７は、タッチパネル１５の表示画面を、認証待機画面１１０からメニュー画面１２０（図２Ｂ）に切り替えるように、タッチパネル１５に対して指示を行う。また、例えば、タッチパネル制御部２７は、タッチパネル１５が認証待機画面１１０（図２Ａ）を表示しているときに、リーダライタ制御部２６がスマートフォン４０から“ＯＦＦ”を示す無線情報要求フラグＦを受け取った場合には、タッチパネル１５の表示画面を認証待機画面１１０からメニュー画面１２０に切り替えるようになっている。
【００４６】
ＷＥＢサーバ部３１は、ＨＴＴＰ（Hypertext Transfer Protocol）を用いて、ユーザ（例えば管理者）が画像処理装置１０の設定を行うためのＷＥＢページを提供するものである。これにより、ユーザは、例えばパーソナルコンピュータ９において、ＷＥＢブラウザを起動して、このＷＥＢページにアクセスすることにより、画像処理装置１０の設定を行うことができるようになっている。
【００４７】
ユーザ情報設定部３２は、画像処理装置１０の設定を行うためのＷＥＢページを用いてユーザ（例えば管理者）が入力した情報に基づいて、認証部３３に対してユーザ管理情報１６Ａの編集依頼を行うものである。具体的には、ユーザ情報設定部３２は、ＷＥＢページで入力されたユーザ名ＵＮおよびパスワードＰＷを認証部３３に供給して、認証部３３に認証処理を依頼する。そして、認証処理が成功した場合には、ユーザ情報設定部３２は、ＷＥＢページで入力された情報に基づいて、認証部３３に対してユーザ管理情報１６Ａの編集依頼を行うようになっている。
【００４８】
なお、この例では、ＷＥＢページを用いて、画像処理装置１０の設定を行うようにしたが、これに限定されるものではない。これに代えて、例えば、パーソナルコンピュータ９に、画像処理装置１０の設定を行うためのユーティリティソフトウェアをインストールし、ユーザがそのユーティリティソフトウェアを用いて、画像処理装置１０の設定を行うようにしてもよい。また、例えば、ユーザがタッチパネル１５を直接操作することにより、画像処理装置１０の設定を行うようにしてもよい。
【００４９】
認証部３３は、認証処理を行うものである。認証部３３は、認証実行部３４と、ユーザ情報管理部３５とを有している。
【００５０】
認証実行部３４は、例えばリーダライタ制御部２６から端末識別情報ＩＤが供給された場合には、この端末識別情報ＩＤに基づいて、ユーザ管理情報１６Ａを用いて認証処理を行う。具体的には、例えば、ユーザ管理情報１６Ａに、供給された端末識別情報ＩＤを含むユーザ情報ＩＵが登録されていれば、その認証処理は成功し、供給された端末識別情報ＩＤを含むユーザ情報ＩＵが登録されていなければ、その認証処理は失敗する。また、認証実行部３４は、例えば、タッチパネル制御部２７から、ユーザ名ＵＮおよびパスワードＰＷが供給された場合には、このユーザ名ＵＮおよびパスワードＰＷに基づいて、ユーザ管理情報１６Ａを用いて認証処理を行う。具体的には、例えば、ユーザ管理情報１６Ａに、供給されたユーザ名ＵＮおよびパスワードＰＷを含むユーザ情報ＩＵが登録されていれば、その認証処理は成功し、供給されたユーザ名ＵＮおよびパスワードＰＷを含むユーザ情報ＩＵが登録されていなければ、その認証処理は失敗する。また、認証実行部３４は、ユーザ管理情報１６Ａを用いて、そのユーザに、各機能についての使用権限があるか否かを確認する機能をも有している。
【００５１】
ユーザ情報管理部３５は、ユーザ情報設定部３２からの編集依頼に基づいて、ユーザ管理情報１６Ａを編集するものである。
【００５２】
なお、この例では、認証処理を行う認証部３３を画像処理装置１０に設けたが、これに限定されるものではない。これに代えて、例えば、インターネットに、認証処理を行うＬＤＡＰ（Lightweight Directory Access Protocol）サーバを設け、このサーバに認証処理を行わせるようにしてもよい。
【００５３】
印刷データ解析部３６は、ＴＣＰ／ＩＰ通信制御部２９から供給された印刷データＤＰを解析するものである。具体的には、印刷データ解析部３６は、印刷データＤＰが端末識別情報ＩＤを含む場合には、この端末識別情報ＩＤを認証部３３に供給して、認証部３３に認証処理を依頼する。また、印刷データ解析部３６は、印刷データＤＰがユーザ名ＵＮおよびパスワードＰＷを含む場合には、このユーザ名ＵＮおよびパスワードＰＷを認証部３３に供給して、認証部３３に認証処理を依頼する。そして、認証処理が成功し、かつ、そのユーザに“プリント”機能を使用する権限がある場合には、印刷データ解析部３６は、印刷データＤＰを印刷実行部３７に供給するようになっている。
【００５４】
印刷実行部３７は、印刷データ解析部３６から供給された印刷データＤＰに基づいて、画像形成部１８の動作を制御することにより、印刷を行うものである。
【００５５】
ログ出力部３８は、印刷実行部３７の処理結果に基づいて、ログ情報１６Ｂを更新するものである。
【００５６】
（スマートフォン４０）
図５は、スマートフォン４０の一構成例を表すものである。スマートフォン４０は、携帯電話通信ユニット４１と、無線ネットワークインタフェース４２と、ＮＦＣ通信ユニット４３と、タッチパネル４４と、記憶部４５と、撮像部４６と、制御部４９とを有している。
【００５７】
携帯電話通信ユニット４１は、例えば、携帯電話の基地局との間で無線通信を行うものである。無線ネットワークインタフェース４２は、無線ネットワーク通信Ｃ２を用いて画像処理装置１０と通信を行うものである。ＮＦＣ通信ユニット４３は、近距離無線通信Ｃ１を用いてリーダライタ８と通信を行うものである。タッチパネル４４は、例えば、液晶ディスプレイおよびタッチセンサを含んで構成され、スマートフォン４０の処理内容などを表示するとともに、ユーザの操作を受け付けるものである。
【００５８】
記憶部４５は、例えば不揮発性のメモリを用いて構成されるものであり、オペレーティングシステム、各種制御プログラム、各種アプリケーションプログラムを記憶している。この例では、スマートフォン４０には、画像表示アプリケーション５６、カメラアプリケーション５７、メールアプリケーション５８、および画像送信アプリケーション６０がインストールされている。これらのアプリケーションについては、後ほど説明する。
【００５９】
撮像部４６は、写真や動画を撮影するものであり、例えばＣＭＯＳイメージセンサなどを用いて構成されるものである。
【００６０】
制御部４９は、各種プログラムを実行することにより、スマートフォン４０内の各ブロックの動作を制御するものである。制御部４９は、例えば、ＣＰＵやＲＡＭなどを用いて構成される。
【００６１】
図６は、スマートフォン４０におけるソフトウェア構成の一例を表すものである。スマートフォン４０は、ＴＣＰ／ＩＰ無線通信部５１と、無線通信設定部５２と、ＮＦＣ通信部５３と、エミュレーション制御部５４と、タッチパネル制御部５５と、画像表示アプリケーション５６と、カメラアプリケーション５７と、メールアプリケーション５８と、画像送信アプリケーション６０とを有している。
【００６２】
ＴＣＰ／ＩＰ無線通信部５１は、無線ネットワークインタフェース４２を用いて、画像処理装置１０と通信（無線ネットワーク通信Ｃ２）を行うものである。無線通信設定部５２は、ＴＣＰ／ＩＰ無線通信部５１が通信を行う際のネットワーク設定を行うとともに、そのネットワーク設定を管理するものである。例えば、無線通信設定部５２は、画像送信アプリケーション６０からネットワーク設定情報ＩＮが供給された場合には、このネットワーク設定情報ＩＮに基づいてネットワーク設定を行うようになっている。
【００６３】
ＮＦＣ通信部５３は、近距離無線通信Ｃ１を用いてリーダライタ８と通信を行うものである。エミュレーション制御部５４は、スマートフォン４０が、いわゆるＮＦＣタグとして振る舞うように、ＮＦＣ通信部５３の動作を制御するものである。
【００６４】
タッチパネル制御部５５は、タッチパネル４４に対して画面の表示を指示するとともに、タッチパネル４４が受け付けたユーザ操作についての情報を、スマートフォン４０において実行される各種プログラムに引き渡すものである。
【００６５】
画像表示アプリケーション５６は、スマートフォン４０のタッチパネル４４に画像を表示する汎用のアプリケーションプログラムである。カメラアプリケーション５７は、スマートフォン４０の撮像部４６の動作を制御する汎用のアプリケーションプログラムである。また、カメラアプリケーション５７は、撮影した写真や動画を記憶部４５に記憶させるとともに、過去に撮影した写真や動画を管理する機能をも有している。メールアプリケーション５８は、電子メールを送受信する汎用のアプリケーションプログラムである。
【００６６】
画像送信アプリケーション６０は、無線ネットワーク通信Ｃ２を用いて、画像処理装置１０に対して印刷データＤＰを送信するためのアプリケーションプログラムである。画像送信アプリケーション６０は、エミュレーション設定部６１と、タグデータ書込部６２と、タグデータ読出部６３と、印刷プレビュー処理部６４と、端末識別情報管理部６５と、印刷データ生成部６６と、印刷データ送信部６７とを有している。
【００６７】
エミュレーション設定部６１は、画像送信アプリケーション６０がスマートフォン４０にインストールされたときに、スマートフォン４０においてエミュレートされるＮＦＣタグの種別などの各種情報を、エミュレーション制御部５４に登録するものである。
【００６８】
タグデータ書込部６２は、スマートフォン４０においてエミュレートされたＮＦＣタグに、データを書き込むものである。具体的には、タグデータ書込部６２は、例えば、ＮＦＣタグに、端末識別情報ＩＤおよび無線情報要求フラグＦを書き込むようになっている。
【００６９】
タグデータ読出部６３は、スマートフォン４０においてエミュレートされたＮＦＣタグから、データを読み出すものである。具体的には、タグデータ読出部６３は、例えば、ＮＦＣタグからネットワーク設定情報ＩＮを読み出す。そして、このタグデータ読出部６３は、このネットワーク設定情報ＩＮを無線通信設定部５２に供給するようになっている。
【００７０】
印刷プレビュー処理部６４は、タッチパネル制御部５５からの指示に基づいて、ユーザが選択した画像を、印刷対象画像としてタッチパネル４４にプレビュー表示させるものである。また、印刷プレビュー処理部６４は、印刷部数や記録媒体サイズなどの印刷パラメータをユーザに設定させる機能をも有している。
【００７１】
端末識別情報管理部６５は、スマートフォン４０の端末識別情報ＩＤを管理するものである。また、端末識別情報管理部６５は、タッチパネル制御部５５からの指示に基づいて、この端末識別情報ＩＤをタッチパネル４４に表示させる機能をも有している。
【００７２】
印刷データ生成部６６は、印刷プレビュー処理部６４がプレビュー表示させた画像、およびユーザが設定した印刷パラメータに基づいて、印刷データＤＰを生成するものである。
【００７３】
印刷データ送信部６７は、ＴＣＰ／ＩＰ無線通信部５１の動作を制御することにより、無線ネットワーク通信Ｃ２を用いて印刷データＤＰを画像処理装置１０に送信するものである。
【００７４】
ここで、リーダライタ８は、本発明における「第１の通信部」の一具体例に対応する。無線ネットワークインタフェース１２は、本発明における「第２の通信部」の一具体例に対応する。スマートフォン４０は、本発明における「携帯端末」の一具体例に対応する。タッチパネル１５は、本発明における「表示部」の一具体例に対応する。制御部１９は、本発明における「制御部」の一具体例に対応する。メニュー画面１２０は、本発明における「第１の認証後画面」および「第２の認証後画面」の一具体例に対応する。印刷データＤＰは、本発明における「画像データ」の一具体例に対応する。無線情報要求フラグＦは、本発明における「状態情報」の一具体例に対応する。端末識別情報ＩＤは、本発明における「識別情報」の一具体例に対応する。ユーザ名ＵＮおよびパスワードＰＷは、本発明における「認証情報」の一具体例に対応する。
【００７５】
［動作および作用］
続いて、本実施の形態の画像処理システム１の動作および作用について説明する。
【００７６】
（全体動作概要）
まず、図１を参照して、画像処理システム１の全体動作概要を説明する。例えば、画像処理装置１０のタッチパネル１５が、認証待機画面１１０（図２Ａ）を表示している状態において、ユーザが、ユーザ名ＵＮおよびパスワードＰＷを入力すると、画像処理装置１０は、入力されたユーザ名ＵＮおよびパスワードＰＷに基づいて認証処理を行う。そして、認証処理が成功すると、画像処理装置１０は、タッチパネル１５の表示画面を、認証待機画面１１０からメニュー画面１２０（図２Ｂ）に切り替える。そして、ユーザが、機能アイコン１２１を操作して、使用したい機能を選択することにより、画像処理装置１０は、ユーザの指示に基づいて処理を行う。そして、ユーザが、“ログアウト”ボタン１２２を操作することにより、画像処理装置１０は、ログアウト処理を行う。
【００７７】
また、例えば、画像処理装置１０が、パーソナルコンピュータ９から有線ネットワークＮＥＴを介して供給された印刷データＤＰを受け取ると、画像処理装置１０は、その印刷データＤＰに基づいて、記録媒体に画像を形成する。具体的には、例えば、印刷データＤＰが、ユーザ名ＵＮおよびパスワードＰＷを含む場合には、画像処理装置１０は、このユーザ名ＵＮおよびパスワードＰＷに基づいて認証処理を行う。そして、認証処理が成功し、かつ、そのユーザに“プリント”機能を使用する権限がある場合には、画像処理装置１０は、その印刷データＤＰに基づいて、記録媒体に画像を形成する。
【００７８】
また、例えば、スマートフォン４０がリーダライタ８にかざされ、スマートフォン４０から近距離無線通信Ｃ１を用いて端末識別情報ＩＤおよび無線情報要求フラグＦが供給された場合には、画像処理装置１０は、この端末識別情報ＩＤに基づいて認証処理を行う。そして、認証処理が成功した場合には、画像処理装置１０は、無線情報要求フラグＦに応じて、タッチパネル１５の表示画面を認証待機画面１１０（図２Ａ）からメニュー画面１２０（図２Ｂ）に切り替え、あるいは、表示画面を認証待機画面１１０に維持したまま、スマートフォン４０から無線ネットワーク通信Ｃ２を用いて供給された印刷データＤＰに基づいて、記録媒体に画像を形成する。
【００７９】
（ユーザ管理情報１６Ａの編集について）
画像処理システム１では、ユーザ管理情報１６Ａに登録されたユーザが、画像処理装置１０を使用することができる。以下に、管理者がユーザ管理情報１６Ａを編集する場合における、画像処理装置１０の動作について説明する。
【００８０】
図７Ａ〜７Ｃは、管理者がユーザ管理情報１６Ａを編集する場合における表示画面の一例を表すものである。
【００８１】
まず、管理者は、パーソナルコンピュータ９でＷＥＢブラウザを起動し、所定のＵＲＩ（Uniform Resource Identifier）を入力する。これにより、画像処理装置１０のＷＥＢサーバ部３１が、パーソナルコンピュータ９に、管理者認証画面２１０（図７Ａ）を提供する。この例では、管理者認証画面２１０には、ユーザ名入力欄２１１、パスワード入力欄２１２、および“ログイン”ボタン２１３が設けられている。そして、管理者が、ユーザ名ＵＮ（この例では“admin”）をユーザ名入力欄２１１に入力するとともにパスワードＰＷをパスワード入力欄２１２に入力し、“ログイン”ボタン２１３を操作することにより、画像処理装置１０のユーザ情報設定部３２は、入力されたユーザ名ＵＮおよびパスワードＰＷを認証部３３に供給して、認証部３３に認証処理を依頼する。具体的には、ユーザ管理情報１６Ａに、入力されたユーザ名ＵＮおよびパスワードＰＷを含み、かつユーザ種別ＵＴが“Ａ”（管理者）であるユーザ情報ＩＵが登録されていれば、認証処理は成功する。
【００８２】
認証処理が成功した場合には、ＷＥＢサーバ部３１は、ユーザ管理情報１６Ａに基づいて、ユーザ管理画面２２０（図７Ｂ）を生成し、このユーザ管理画面２２０をパーソナルコンピュータ９に提供する。この例では、ユーザ管理画面２２０は、ユーザ管理情報１６Ａに登録されているユーザ情報ＩＵ（この例では、ユーザ名ＵＮ、ユーザ種別ＵＴ、および端末識別情報ＩＤ）についての情報を含んでいる。また、ユーザ管理画面２２０には、“追加”ボタン２２１、“変更”ボタン２２２、および“削除”ボタン２２３が設けられている。“追加”ボタン２２１は、ユーザを追加する際に用いるボタンであり、“変更”ボタン２２２は、登録されたユーザ情報ＩＵを変更する際に用いるボタンであり、“削除”ボタン２２３は、ユーザを削除する際に用いるボタンである。
【００８３】
例えば、管理者が、ユーザ管理画面２２０（図７Ｂ）において、“追加”ボタン２２１を操作した場合には、ＷＥＢサーバ部３１は、パーソナルコンピュータ９に、ユーザ情報編集画面２３０（図７Ｃ）を提供する。この例では、ユーザ情報編集画面２３０には、ユーザ名入力欄２３１、パスワード入力欄２３２、端末識別情報入力欄２３３、“ユーザ種別”ラジオボタン２３４、“実行”ボタン２３５、および“中止”ボタン２３６が設けられている。管理者は、このユーザ情報編集画面２３０を用いて、追加するユーザの、ユーザ名ＵＮ、パスワードＰＷ、端末識別情報ＩＤ、およびユーザ種別ＵＴを入力する。端末識別情報ＩＤは、ユーザを追加する段階では未入力でもよい。この場合には、管理者は、ユーザ情報ＩＵを変更することにより、端末識別情報ＩＤを入力する。なお、パスワード入力欄２３２は、特定のシンボル（例えばアスタリスク）でマスキングして表示するのが望ましい。管理者が“実行”ボタン２３５を操作すると、ユーザ情報管理部３５が、これらの情報をユーザ管理情報１６Ａに登録し、ＷＥＢサーバ部３１は、パーソナルコンピュータ９に、ユーザ管理画面２２０（図７Ｂ）を提供する。また、管理者が“中止”ボタン２３６を操作すると、ＷＥＢサーバ部３１は、ユーザ管理画面２２０（図７Ｂ）を提供する。
【００８４】
また、例えば、管理者が、ユーザ管理画面２２０（図７Ｂ）において、変更したいユーザのチェックボックスにチェックを入れて“変更”ボタン２２２を操作した場合も、ＷＥＢサーバ部３１は、ユーザを追加する場合と同様に、ユーザ情報編集画面２３０（図７Ｃ）を提供する。この場合には、ユーザ名入力欄２３１、パスワード入力欄２３２、端末識別情報入力欄２３３、および“ユーザ種別”ラジオボタン２３４は、その変更したいユーザの、既に登録されている情報が表示される。なお、この場合も、パスワード入力欄２３２では、入力されたパスワードを、特定のシンボル（例えばアスタリスク）でマスキングして表示するのが望ましい。
【００８５】
なお、画像処理装置１０は、ユーザ情報ＩＵを変更することにより、ユーザ管理情報１６Ａに、ユーザ種別ＵＴが“Ａ”（管理者）であるユーザ情報ＩＵがなくなる場合には、エラー表示を行い、そのユーザ情報ＩＵの変更を受け付けないように動作する。
【００８６】
また、例えば、管理者が、ユーザ管理画面２２０（図７Ｂ）において、削除したいユーザのチェックボックスにチェックを入れて“削除”ボタン２２３を操作した場合には、ユーザ情報管理部３５は、ユーザ管理情報１６Ａから、その削除したいユーザのユーザ情報ＩＵを削除する。そして、ＷＥＢサーバ部３１が、最新のユーザ管理情報１６Ａに基づいてユーザ管理画面２２０（図７Ｂ）を生成し、このユーザ管理画面２２０をパーソナルコンピュータ９に提供する。
【００８７】
（画像送信アプリケーション６０）
次に、スマートフォン４０にインストールされた画像送信アプリケーション６０について、詳細に説明する。
【００８８】
図８Ａ〜８Ｃは、画像送信アプリケーション６０が動作する場合におけるスマートフォン４０の表示画面の一例を表すものである。
【００８９】
ユーザが、スマートフォン４０を操作して画像送信アプリケーション６０を起動すると、タッチパネル４４は、画像送信アプリケーション６０からの指示に基づいて、ホーム画面４１０（図８Ａ）を表示する。このホーム画面４１０には、“ファイル”メニュー４１１、“Ｗｅｂ”メニュー４１２、“カメラ”メニュー４１３、および“端末識別情報を表示する”ボタン４１４が設けられている。
【００９０】
ユーザは、“ファイル”メニュー４１１、“Ｗｅｂ”メニュー４１２、および“カメラ”メニュー４１３を操作することにより、画像処理装置１０に印刷させる画像を選択する。
【００９１】
例えば、ユーザが、ホーム画面４１０（図８Ａ）において、“ファイル”メニュー４１１を選択した場合には、スマートフォン４０のタッチパネル４４は、例えば、記憶部４５に記憶された画像ファイルの一覧を表示する。そして、ユーザが画像ファイルを選択すると、タッチパネル４４は、画像送信アプリケーション６０の印刷プレビュー処理部６４からの指示に基づいて、印刷プレビュー画面４２０（図８Ｂ）を表示する。この印刷プレビュー画面４２０には、選択された画像ファイルに係るプレビュー画像４２１が表示される。また、印刷プレビュー画面４２０には、“カラー区分”プルダウンメニュー４２２、“記録媒体サイズ”プルダウンメニュー４２３、印刷部数変更ボタン４２４が設けられている。ユーザは、“カラー区分”プルダウンメニュー４２２、“記録媒体サイズ”プルダウンメニュー４２３、および印刷部数変更ボタン４２４を操作することにより、印刷パラメータを設定することができる。
【００９２】
また、例えば、ユーザが、ホーム画面４１０（図８Ａ）において、“Ｗｅｂ”メニュー４１２を選択した場合には、タッチパネル４４は、例えば、ＵＲＩを入力するための画面を表示する。そして、ユーザがＵＲＩを入力すると、タッチパネル４４は、印刷プレビュー処理部６４からの指示に基づいて、印刷プレビュー画面４２０（図８Ｂ）を表示する。この場合には、入力したＵＲＩに対応したＷＥＢページが、プレビュー画像４２１として表示される。
【００９３】
また、例えば、ユーザが、ホーム画面４１０（図８Ａ）において、“カメラ”メニュー４１３を選択した場合には、カメラアプリケーション５７が起動する。そして、ユーザがカメラアプリケーション５７を操作して撮影を行うと、タッチパネル４４は、印刷プレビュー処理部６４からの指示に基づいて、印刷プレビュー画面４２０（図８Ｂ）を表示する。この場合には、撮影した画像が、プレビュー画像４２１として表示される。
【００９４】
この例では、図８Ａに示した３つのメニューを用いて印刷プレビュー画面４２０を表示したが、これに限定されるものではない。例えば、画像表示アプリケーション５６で画像を選択し、画像送信アプリケーション６０を指定して共有操作を行うことにより、印刷プレビュー画面４２０（図８Ｂ）を表示することができる。この場合には、画像表示アプリケーション５６で選択した画像が、プレビュー画像４２１として表示される。
【００９５】
このようにスマートフォン４０のタッチパネル４４が印刷プレビュー画面４２０（図８Ｂ）を表示している期間では、タグデータ書込部６２は、スマートフォン４０においてエミュレートされたＮＦＣタグに、端末識別情報ＩＤ、および“ＯＮ”を示す無線情報要求フラグＦを書き込む。そして、ユーザが、このスマートフォン４０をリーダライタ８にかざすと、画像処理装置１０は、端末識別情報ＩＤに基づいて認証処理を行い、認証処理が成功した場合に、“ＯＮ”を示す無線情報要求フラグＦに基づいて、リーダライタ８を用いてＮＦＣタグにネットワーク設定情報ＩＮを書き込む。スマートフォン４０のタグデータ読出部６３は、このネットワーク設定情報ＩＮを読み出し、無線通信設定部５２は、このネットワーク設定情報ＩＮに基づいてネットワーク設定を行う。
【００９６】
そして、スマートフォン４０の印刷データ生成部６６は、印刷プレビュー画面４２０（図８Ｂ）におけるプレビュー画像４２１に係る画像データ、およびこの印刷プレビュー画面４２０において設定された印刷パラメータに基づいて、印刷データＤＰを生成する。
【００９７】
図９は、印刷データＤＰの一例を表すものである。印刷データＤＰは、“ジョブ種別”と、“認証情報”と、“ジョブ名”と、“記録媒体サイズ”と、“印刷部数”と、“画像データ”とを含んでいる。
【００９８】
“ジョブ種別”は、例えば、認証処理を行わないで印刷を行う通常ジョブＪ１、ユーザ名ＵＮおよびパスワードＰＷを用いて認証処理を行うことにより印刷を行う認証ジョブＪ２、端末識別情報ＩＤを用いて認証処理を行うことにより印刷を行う認証ジョブＪ３のうちのいずれかが設定される。
【００９９】
認証処理を行わない画像処理装置が、“ジョブ種別”が通常ジョブＪ１に設定された印刷データＤＰを受信した場合には、この印刷データＤＰに基づいて画像を形成するが、“ジョブ種別”が認証ジョブＪ２，Ｊ３に設定された印刷データＤＰを受信した場合には、この印刷データＤＰを破棄し、画像形成を行わない。
【０１００】
また、認証処理を行う画像処理装置が、“ジョブ種別”が通常ジョブＪ１に設定された印刷データＤＰを受信した場合には、この印刷データＤＰを破棄し、画像形成を行わない。また、認証処理を行う画像処理装置が、“ジョブ種別”が認証ジョブＪ２，Ｊ３に設定された印刷データＤＰを受信した場合には、認証処理が成功したときには、この印刷データＤＰに基づいて画像を形成し、認証処理が失敗したときには、この印刷データＤＰを破棄し、画像形成を行わない。
【０１０１】
“認証情報”は、例えば、“ジョブ種別”が通常ジョブＪ１に設定された場合には、ユーザ名ＵＮが設定される。このユーザ名ＵＮは、例えばログ情報を生成する際に用いられる。  また、“認証情報”は、例えば、“ジョブ種別”が認証ジョブＪ２に設定された場合には、ユーザ名ＵＮおよびパスワードＰＷが設定され、“ジョブ種別”が認証ジョブＪ３に設定された場合には、端末識別情報ＩＤが設定される。“ジョブ種別”が認証ジョブＪ２，Ｊ３に設定された場合には、“認証情報”を暗号化することが望ましい。
【０１０２】
“ジョブ名”は、例えば、印刷データＤＰを生成する際の元ファイルのファイル名や、印刷データＤＰを生成する日付に基づいて設定される。この“ジョブ名”は、例えばログ情報を生成する際に用いられる。
【０１０３】
“記録媒体サイズ”、および“印刷部数”は、印刷プレビュー画面４２０（図８Ｂ）において設定された内容に応じて設定される。
【０１０４】
“画像データ”は、印刷すべき画像データであり、印刷プレビュー画面４２０（図８Ｂ）において設定された“カラー区分”に応じて色情報が変更され、“記録媒体サイズ”に応じて画像サイズが変更された画像データが格納される。
【０１０５】
印刷データ生成部６６は、このような印刷データＤＰを生成する。そして、印刷データ送信部６７は、その印刷データＤＰを画像処理装置１０に供給する。画像処理装置１０は、“認証情報”に基づいて認証処理を行い、認証処理が成功し、かつそのユーザが“プリント”機能の使用権限を有する場合には、その印刷データＤＰに基づいて、記録媒体に画像を形成する。
【０１０６】
一方、タッチパネル４４が印刷プレビュー画面４２０（図８Ｂ）を表示していない期間では、タグデータ書込部６２は、スマートフォン４０においてエミュレートされたＮＦＣタグに、端末識別情報ＩＤ、および“ＯＦＦ”を示す無線情報要求フラグＦを書き込む。そして、ユーザが、このスマートフォン４０をリーダライタ８にかざすと、画像処理装置１０は、端末識別情報ＩＤに基づいて認証処理を行い、認証処理が成功した場合に、“ＯＦＦ”を示す無線情報要求フラグＦに基づいて、タッチパネル１５の表示画面を認証待機画面１１０（図２Ａ）からメニュー画面１２０（図２Ｂ）に切り替える。そして、ユーザが、機能アイコン１２１を操作して、使用したい機能を選択することにより、画像処理装置１０は、ユーザの指示に基づいて処理を行う。
【０１０７】
また、例えば、ユーザが、ホーム画面４１０（図８Ａ）において、“端末識別情報を表示する”ボタン４１４を操作した場合には、タッチパネル４４は、画像送信アプリケーション６０の端末識別情報管理部６５からの指示に基づいて、端末識別情報表示画面４３０（図８Ｃ）を表示する。この端末識別情報表示画面４３０（図８Ｃ）では、スマートフォン４０の端末識別情報ＩＤが表示される。ユーザは、この端末識別情報ＩＤを、画像処理装置１０の管理者に伝える。そして、管理者は、ユーザ情報編集画面２３０（図７Ｃ）を操作して、端末識別情報ＩＤをユーザ管理情報１６Ａに登録する。このようにして、ユーザ管理情報１６Ａに端末識別情報ＩＤが登録される。
【０１０８】
また、この例では、端末識別情報表示画面４３０に、“メール”アイコン４３１が設けられている。ユーザがこの“メール”アイコン４３１を操作することにより、メールアプリケーション５８が起動し、例えばメール本文に、スマートフォン４０の端末識別情報ＩＤが記載されたメールが作成される。ユーザは、このメールを、画像処理装置１０の管理者に送信することにより、例えば、ユーザ追加の依頼や、端末識別情報ＩＤの登録を依頼することができる。
【０１０９】
（エミュレーション動作について）
画像送信アプリケーション６０のエミュレーション設定部６１は、この画像送信アプリケーション６０がスマートフォン４０にインストールされたときに、スマートフォン４０においてエミュレートされるＮＦＣタグについての各種情報を、エミュレーション制御部５４に登録する。これにより、スマートフォン４０にインストールされた画像送信アプリケーションおよびエミュレーション制御部５４は、ＮＤＥＦ（NFC Data Encoding Format）タグアプリケーション７０として動作する。
【０１１０】
図１０は、ＮＤＥＦタグアプリケーション７０を模式的に表したものである。なお、この例では、ＮＦＣフォーラムが規定するタグのうちの、“ＮＦＣ  Ｆｏｒｕｍ  Ｔｙｐｅ  ４  Ｔａｇ”を用いるが、これに限定されるものではなく、他のタグを用いてもよい。
【０１１１】
ＮＤＥＦタグアプリケーション７０には、他のアプリケーションプログラムと重複しない固有のアプリケーション識別情報ＡＩＤ（Application Identifier）が付されている。このＮＤＥＦタグアプリケーション７０は、ＮＤＥＦタグの情報を示す“ＣＣ（Capability Container）  Ｆｉｌｅ”を有する。“ＣＣ＿Ｆｉｌｅ”は、“ＣＣＬＥＮ”フィールドと、“マッピングバージョン”フィールドと、“ＭＬｅ”フィールドと、“ＭＬｃ”フィールドと、“ＮＤＥＦ  Ｆｉｌｅ  Ｃｏｎｔｒｏｌ  ＴＬＶ１”フィールドと、“ＮＤＥＦ  Ｆｉｌｅ  Ｃｏｎｔｒｏｌ  ＴＬＶ２”フィールドとを有している。“ＣＣＬＥＮ”フィールドには、“ＣＣ  Ｆｉｌｅ”のサイズが格納される。“マッピングバージョン”フィールドの上位ニブルには、マッピングバージョンナンバーのうちのメジャーバージョンナンバーが格納され、下位ニブルには、マイナーバージョンナンバーが格納される。“ＭＬｅ”フィールドには、１回のコマンドで読み出すことができる最大データサイズを格納する。“ＭＬｃ”フィールドには、１回のコマンドで書き込むことができる最大データサイズを格納する。“ＮＤＥＦ  Ｆｉｌｅ  Ｃｏｎｔｒｏｌ  ＴＬＶ１”フィールドには、“ＮＤＥＦ  Ｆｉｌｅ１”が格納され、“ＮＤＥＦ  Ｆｉｌｅ  Ｃｏｎｔｒｏｌ  ＴＬＶ２”フィールドには、“ＮＤＥＦ  Ｆｉｌｅ２”が格納される。
【０１１２】
“ＮＤＥＦ  Ｆｉｌｅ１”は、リーダライタ８に読み出されるものである。“ＮＤＥＦ  Ｆｉｌｅ１”は、“ＮＬＥＮ”フィールドと、“ＮＤＥＦメッセージ”フィールドとを有している。“ＮＬＥＮ”フィールドには、この“ＮＤＥＦ  Ｆｉｌｅ１”のＮＤＥＦメッセージのサイズが格納される。“ＮＤＥＦメッセージ”フィールドには、スマートフォン４０が画像処理装置１０に供給する、例えば複数のレコードからなるデータ（ＮＤＥＦメッセージ）が、画像送信アプリケーション６０のタグデータ書込部６２により書き込まれる。
【０１１３】
図１１は、“ＮＤＥＦ  Ｆｉｌｅ１”のＮＤＥＦメッセージの一例を表すものである。このＮＤＥＦメッセージは、“端末識別情報ＩＤ”レコードと、“無線情報要求フラグＦ”レコードとを含んでいる。“端末識別情報ＩＤ”レコードには、端末識別情報ＩＤが、テキスト形式で格納される。“無線情報要求フラグＦ”レコードには、“ＯＮ”または“ＯＦＦ”がテキスト形式で格納される。
【０１１４】
“ＮＤＥＦ  Ｆｉｌｅ２”は、リーダライタ８により書き込まれるものである。“ＮＤＥＦ  Ｆｉｌｅ２”は、“ＮＬＥＮ”フィールドと、“ＮＤＥＦメッセージ”フィールドとを有している。“ＮＬＥＮ”フィールドには、この“ＮＤＥＦ  Ｆｉｌｅ２”のＮＤＥＦメッセージのサイズが格納される。この“ＮＤＥＦメッセージ”フィールドには、画像処理装置１０がスマートフォン４０に供給する、例えば複数のレコードからなるデータ（ＮＤＥＦメッセージ）が、リーダライタ８により書き込まれる。
【０１１５】
図１２は、“ＮＤＥＦ  Ｆｉｌｅ２”のＮＤＥＦメッセージの一例を表すものである。このＮＤＥＦメッセージは、“ＳＳＩＤ”レコードと、“パスワード”レコードと、“セキュリティの種類”レコードと、“ＩＰアドレス”レコードとを有している。すなわち、これらのレコードには、ネットワーク設定情報ＩＮが格納される。具体的には、“ＳＳＩＤ”レコードには、画像処理装置１０が無線ネットワーク通信Ｃ２におけるアクセスポイントとして動作したときのＳＳＩＤが、テキスト形式で格納される。“パスワード”レコードには、スマートフォン４０が無線ネットワーク通信Ｃ２により画像処理装置１０に接続する際に用いるパスワードが格納される。“セキュリティの種類”レコードには、無線ネットワーク通信Ｃ２を行う際に用いる、ＷＰＡ２やＴＫＩＰなどの暗号化方式が格納される。また、“ＩＰアドレスフィールド”には、無線ネットワーク通信Ｃ２における画像処理装置１０のＩＰアドレスが格納される。
【０１１６】
画像処理装置１０は、スマートフォン４０から、端末識別情報ＩＤ、および“ＯＮ”を示す無線情報要求フラグＦが供給され、端末識別情報ＩＤに基づいて認証処理を行い、その認証処理が成功した場合に、リーダライタ８がネットワーク設定情報ＩＮ（図１２）を書き込むように制御する。
【０１１７】
（動作例ＯＰ１）
次に、スマートフォン４０をリーダライタ８にかざして、表示画面を認証待機画面１１０に維持したまま、スマートフォン４０が画像処理装置１０に印刷データＤＰを供給する場合の、画像処理システム１の動作について説明する。
【０１１８】
図１３Ａ，１３Ｂは、動作例ＯＰ１における、画像処理システム１の一動作例を表すものである。この図１３Ａ，１３Ｂにおいて、破線の矢印は、近距離無線通信Ｃ１を用いたデータのやりとりを示し、実線の矢印は、無線ネットワーク通信Ｃ２を用いたデータのやりとりを示す。また、ユーザの操作を括弧書きで示している。
【０１１９】
図１３Ａに示したように、まず、スマートフォン４０では、ＮＦＣエミュレーションサービスを動作させる（ステップＳ１０１）。具体的には、スマートフォン４０に画像送信アプリケーション６０をインストールすると、エミュレーション制御部５４は、例えばスマートフォン４０がスリープ状態である場合を除き、スマートフォン４０がＮＦＣタグとして振る舞うように、ＮＦＣ通信部５３の動作を制御する。すなわち、スマートフォン４０では、画像送信アプリケーション６０を起動していない場合でも、ＮＦＣエミュレーションサービスが常に動作している。
【０１２０】
一方、画像処理装置１０のタッチパネル１５は、認証待機画面１１０を表示する（ステップＳ１０２）。
【０１２１】
そして、ユーザが、スマートフォン４０を操作して、画像送信アプリケーション６０を起動し、印刷したい画像を選択して、タッチパネル４４に印刷プレビュー画面４２０（図８Ｂ）を表示させる。これにより、スマートフォン４０は、無線情報要求フラグＦを“ＯＮ”に設定する（ステップＳ１０３）。具体的には、画像送信アプリケーション６０のタグデータ書込部６２は、“ＮＤＥＦ  Ｆｉｌｅ１”の“ＮＤＥＦメッセージ”フィールドに、端末識別情報ＩＤを書き込むとともに、“ＯＮ”を示す無線情報要求フラグＦを書き込む。
【０１２２】
そして、ユーザがスマートフォン４０をリーダライタ８にかざす。これにより、画像処理装置１０は、スマートフォン４０を検出する（ステップＳ１１１）。具体的には、スマートフォン４０がリーダライタ８の通信可能範囲に入ると、リーダライタ制御部２６は、リーダライタ８からの通知に基づいて、スマートフォン４０に対して、画像送信アプリケーション６０のアプリケーション識別情報ＡＩＤをセレクトするコマンドを供給する。そして、リーダライタ制御部２６は、スマートフォン４０から、そのコマンドに対する所望の応答を得られるかどうかを確認する。スマートフォン４０から、所望の応答を得られた場合には、次のステップに進む。また、スマートフォン４０から、所望の応答を得られなかった場合には、画像処理装置１０は、例えば、スマートフォン４０を検出できなかったことを示すブザー音を発生させ、この処理を終了させる。
【０１２３】
次に、画像処理装置１０は、スマートフォン４０から“ＣＣ  Ｆｉｌｅ”を読み出す（ステップＳ１１２）。具体的には、画像処理装置１０のリーダライタ制御部２６は、“ＣＣ  Ｆｉｌｅ”をセレクトし、この“ＣＣ  Ｆｉｌｅ”を読み出し、“ＮＤＥＦ  Ｆｉｌｅ１”および“ＮＤＥＦ  Ｆｉｌｅ２”を得る。
【０１２４】
次に、画像処理装置１０は、“ＮＤＥＦ  Ｆｉｌｅ１”から、端末識別情報ＩＤおよび無線情報要求フラグＦを読み出す（ステップＳ１１３）。具体的には、画像処理装置１０のリーダライタ制御部２６は、“ＣＣ  Ｆｉｌｅ”のうちの“ＮＤＥＦ  Ｆｉｌｅ１”をセレクトし、この“ＮＤＥＦ  Ｆｉｌｅ１”を読み出し、端末識別情報ＩＤおよび無線情報要求フラグＦを取得する。
【０１２５】
次に、画像処理装置１０は、端末識別情報ＩＤに基づいて認証処理を行う（ステップＳ１１４）。具体的には、画像処理装置１０のリーダライタ制御部２６は、ステップＳ１１３において取得した端末識別情報ＩＤを認証部３３に供給し、認証部３３に認証処理を依頼する。認証部３３は、この端末識別情報ＩＤに基づいて認証処理を行う。そして、認証部３３は、認証処理の結果を、リーダライタ制御部２６に通知する。認証処理が成功した場合には、次のステップに進む。また、認証処理が失敗した場合には、画像処理装置１０は、例えば、認証処理が失敗したことを示すブザー音を発生させ、この処理を終了させる。
【０１２６】
次に、画像処理装置１０は、無線情報要求フラグＦを確認する（ステップＳ１１５）。具体的には、画像処理装置１０のリーダライタ制御部２６は、ステップＳ１１３において取得した無線情報要求フラグＦが“ＯＮ”または“ＯＦＦ”のどちらであるかを確認する。
【０１２７】
この例では、無線情報要求フラグＦが“ＯＮ”であるので、次に、画像処理装置１０は、“ＮＤＥＦ  Ｆｉｌｅ２”に、ネットワーク設定情報ＩＮを書き込む（ステップＳ１１６）。具体的には、画像処理装置１０のリーダライタ制御部２６は、無線通信設定部２４からネットワーク設定情報ＩＮを取得する。そして、リーダライタ制御部２６は、“ＣＣ  Ｆｉｌｅ”のうちの“ＮＤＥＦ  Ｆｉｌｅ２”をセレクトし、この“ＮＤＥＦ  Ｆｉｌｅ２”にネットワーク設定情報ＩＮを書き込む。
【０１２８】
次に、画像処理装置１０は、スマートフォン４０をリーダライタ８から外してもよい旨を示すブザー音を発生させる（ステップＳ１１７）。
【０１２９】
そして、ユーザが、スマートフォン４０をリーダライタ８から外す。これにより、スマートフォン４０のエミュレーション制御部５４は、近距離無線通信Ｃ１による接続が切断されたことを検出する（ステップＳ１１８）
【０１３０】
次に、図１３Ｂに示したように、スマートフォン４０は、“ＮＤＥＦ  Ｆｉｌｅ２”からネットワーク設定情報ＩＮを読み出す（ステップＳ１２１）。具体的には、画像送信アプリケーション６０のタグデータ読出部６３は、ステップＳ１１６において“ＮＤＥＦ  Ｆｉｌｅ２”に書き込まれたネットワーク設定情報ＩＮを読み出す。
【０１３１】
次に、スマートフォン４０は、無線ネットワーク通信Ｃ２により、画像処理装置１０に接続する（ステップＳ１２２）。具体的には、スマートフォン４０の無線通信設定部５２は、ステップＳ１２１においてタグデータ読出部６３が読み出したネットワーク設定情報ＩＮ（ＳＳＩＤ、パスワード、セキュリティの種類、ＩＰアドレス）に基づいて、ネットワーク設定を行う。そして、ＴＣＰ／ＩＰ無線通信部５１は、無線ネットワーク通信Ｃ２により、画像処理装置１０の所定のポート（例えばポート９１００）に接続する。
【０１３２】
次に、スマートフォン４０は、機密保持のために、“ＮＤＥＦ  Ｆｉｌｅ２”の情報を全て消去して初期化する（ステップＳ１２３）。
【０１３３】
次に、スマートフォン４０は、印刷データＤＰを生成する（ステップＳ１２４）。具体的には、画像送信アプリケーション６０の印刷データ生成部６６は、タッチパネル４４が表示している印刷プレビュー画面４２０（図８Ｂ）におけるプレビュー画像４２１に係る画像データ、この印刷プレビュー画面４２０において設定された印刷パラメータ、および端末識別情報ＩＤに基づいて、印刷データＤＰを生成する。この例では、印刷データＤＰ（図９）において、“ジョブ種別”は認証ジョブＪ３に設定され、“認証情報”は端末識別情報ＩＤに設定される。
【０１３４】
次に、スマートフォン４０は、印刷データＤＰを画像処理装置１０に送信する（ステップＳ１２５）。具体的には、画像送信アプリケーション６０の印刷データ送信部６７は、ステップＳ１２４において印刷データ生成部６６が生成した印刷データＤＰを、無線ネットワーク通信Ｃ２により、画像処理装置１０に送信する。画像処理装置１０のＴＣＰ／ＩＰ無線通信部２３は、この印刷データＤＰを受信する。
【０１３５】
次に、画像処理装置１０は、印刷データＤＰから端末識別情報ＩＤを取得する（ステップＳ１２６）。具体的には、画像処理装置１０の印刷データ解析部３６は、印刷データＤＰ（図９）の“認証情報”から、端末識別情報ＩＤを取得する。端末識別情報ＩＤが暗号化されている場合には復号化をおこなう。
【０１３６】
次に、画像処理装置１０は、端末識別情報ＩＤに基づいて認証処理を行う（ステップＳ１２７）。具体的には、印刷データ解析部３６は、ステップＳ１２６において取得した端末識別情報ＩＤを認証部３３に供給し、認証部３３に認証処理を依頼する。認証部３３は、認証処理を行い、その認証処理が成功した場合には、その端末識別情報ＩＤに対応するユーザ名ＵＮを取得し、そのユーザが“プリント”機能を使用する権限を有しているか否かを確認する。そして、そのユーザが“プリント”機能を使用する権限を有している場合には、認証部３３は、認証処理が成功した旨を印刷データ解析部３６に通知するとともに、取得したユーザ名ＵＮを印刷データ解析部３６に通知する。この場合には、印刷データ解析部３６は、印刷データＤＰ（図９）の“認証情報”を、端末識別情報ＩＤからユーザ名ＵＮに置き換える。また、認証部３３は、認証処理が失敗した場合や、そのユーザが“プリント”機能を使用する権限を有していない場合には、その旨を印刷データ解析部３６に通知する。この場合には、印刷データ解析部３６は、印刷データＤＰを破棄し、画像処理装置１０は、ブザー音を発生させ、この処理を終了させる。なお、この例では、ステップＳ１１４において、画像処理装置１０は、端末識別情報ＩＤに基づいて認証処理をおこなっているため、認証処理は成功する。
【０１３７】
次に、画像処理装置１０は、印刷データＤＰに基づいて、記録媒体に画像を形成する（ステップＳ１２８）。具体的には、画像処理装置１０の印刷実行部３７は、印刷データ解析部３６から供給された印刷データＤＰに基づいて、画像形成部１８の動作を制御する。その結果、画像処理装置１０は、記録媒体に画像を形成する。そして、印刷実行部３７は、印刷データＤＰ（図９）に含まれる“認証情報”（ユーザ名ＵＮ）、“ジョブ名”、“記録媒体サイズ”、“印刷部数”などの情報を、ログ出力部３８に供給し、ログ出力部３８は、これらの情報に基づいてログ情報１６Ｂを更新する。
【０１３８】
そして、ユーザは、スマートフォン４０の画像送信アプリケーション６０を操作することにより、印刷プレビュー画面４２０の表示を終了させる。これにより、スマートフォン４０は、無線情報要求フラグＦを“ＯＦＦ”に設定する（ステップＳ１２９）。具体的には、画像送信アプリケーション６０のタグデータ書込部６２は、“ＮＤＥＦ  Ｆｉｌｅ１”の“ＮＤＥＦメッセージ”フィールドに、“ＯＦＦ”を示す無線情報要求フラグＦを書き込む。
【０１３９】
以上で、このシーケンスは終了する。
【０１４０】
このように、画像処理システム１では、スマートフォン４０のタッチパネル４４に印刷プレビュー画面４２０（図８Ｂ）を表示させた状態で、スマートフォン４０をリーダライタ８にかざすことにより、画像処理装置１０の表示画面を認証待機画面１１０に維持したまま、印刷プレビュー画面４２０に係る画像を印刷することができる。
【０１４１】
これにより、画像処理システム１では、ユーザの利便性を高めることができる。すなわち、例えば、ユーザが、認証待機画面においてユーザ名ＵＮ及びパスワードＰＷを直接入力し、表示画面をメニュー画面に切り替えてから、スマートフォンをリーダライタにかざすことにより印刷データＤＰをやりとりするように構成した場合には、ユーザは、スマートフォンと画像処理装置の両方を操作する必要があり、手間がかかる。また、ユーザは、画像処理装置を使用し終えた場合には、“ログアウト”ボタンを操作することにより、表示画面を認証待機画面に戻す必要があるため手間がかかる。また、仮に、ユーザが、画像処理装置を使用し終えた場合に、“ログアウト”ボタンを操作し忘れた場合には、第３者がそのユーザになりすまして画像処理装置１０を操作することができるため、セキュリティが低下するおそれがある。
【０１４２】
一方、本実施の形態に係る画像処理システム１では、スマートフォン４０をリーダライタ８にかざすことにより、画像処理装置１０の表示画面を認証待機画面１１０に維持したまま、印刷データＤＰをやりとりすることができるようにしたので、ユーザが画像処理装置１０を直接操作しなくて済むため、ユーザの利便性を高めることができる。また、表示画面は認証待機画面１１０に維持されるため、第３者は画像処理装置１０を操作することができず、セキュリティを高めることができる。
【０１４３】
また、画像処理システム１では、スマートフォン４０のタッチパネル４４に印刷プレビュー画面４２０（図８Ｂ）を表示させた状態で、スマートフォン４０をリーダライタ８にかざした場合に、ネットワーク設定情報ＩＮをやりとりするようにしたので、ユーザがスマートフォン４０のネットワーク設定を行う必要がないため、ユーザの利便性を高めることができる。特に、例えば、画像処理装置１０のネットワーク設定を変更した場合でも、最新のネットワーク設定情報ＩＮがやりとりされるため、ユーザがスマートフォン４０のネットワーク設定を再度行う必要がないため、ユーザの利便性を高めることができる。
【０１４４】
また、画像処理システム１では、端末識別情報ＩＤを用いて認証処理を行うようにしたので、画像処理装置１０のユーザ管理情報１６Ａを編集して、例えばユーザ名ＵＮやパスワードＰＷを変更した場合でも、ユーザがスマートフォン４０を操作して、ユーザ名ＵＮやパスワードＰＷを再入力する必要がないため、ユーザの利便性を高めることができる。
【０１４５】
（動作例ＯＰ２）
次に、スマートフォン４０をリーダライタ８にかざして、画像処理装置１０の表示画面を認証待機画面１１０（図２Ａ）からメニュー画面１２０（図２Ｂ）に切り替える場合の、画像処理システム１の動作について説明する。
【０１４６】
図１４は、動作例ＯＰ２に係る、画像処理システム１の一動作例を表すものである。動作例ＯＰ１と同様に、まず、スマートフォン４０では、ＮＦＣエミュレーションサービスを動作させる（ステップＳ１０１）。一方、画像処理装置１０のタッチパネル１５は、認証待機画面１１０を表示する（ステップＳ１０２）。
【０１４７】
この動作例ＯＰ２では、動作例ＯＰ１（図１３Ａ，１３Ｂ）と異なり、ユーザは、スマートフォン４０のタッチパネル４４に印刷プレビュー画面４２０を表示させない。この場合には、“ＮＤＥＦ  Ｆｉｌｅ１”の“ＮＤＥＦメッセージ”フィールドには、“ＯＦＦ”を示す無線情報要求フラグＦが書き込まれている。
【０１４８】
そして、ユーザがスマートフォン４０をリーダライタ８にかざすと、画像処理装置１０は、スマートフォン４０を検出し（ステップＳ１１１）、スマートフォン４０から“ＣＣ  Ｆｉｌｅ”を読み出し（ステップＳ１１２）、“ＮＤＥＦ  Ｆｉｌｅ１”から、端末識別情報ＩＤおよび無線情報要求フラグＦを読み出し（ステップＳ１１３）、端末識別情報ＩＤに基づいて認証処理を行う（ステップＳ１１４）。
【０１４９】
次に、画像処理装置１０のリーダライタ制御部２６は、ステップＳ１１３において取得した無線情報要求フラグＦが“ＯＮ”または“ＯＦＦ”のどちらであるかを確認する（ステップＳ１１５）。
【０１５０】
この例では、無線情報要求フラグＦが“ＯＦＦ”であるので、次に、画像処理装置１０は、スマートフォン４０をリーダライタ８から外してもよい旨を示すブザー音を発生させるとともに（ステップＳ１３１）、メニュー画面１２０を表示する（ステップＳ１３２）。具体的には、画像処理装置１０のタッチパネル制御部２７は、無線情報要求フラグＦが“ＯＦＦ”であるので、タッチパネル１５の表示画面を認証待機画面１１０（図２Ａ）からメニュー画面１２０（図２Ｂ）に切り替える。そして、画像処理装置１０は、そのユーザに関する各種設定を行う。
【０１５１】
そして、ユーザが、スマートフォン４０をリーダライタ８から外すと、スマートフォン４０のエミュレーション制御部５４は、近距離無線通信Ｃ１による接続が切断されたことを検出する（ステップＳ１１８）
【０１５２】
そして、ユーザは、画像処理装置１０のタッチパネル１５に表示されたメニュー画面１２０（図２Ｂ）において、機能アイコン１２１を操作して、使用したい機能を選択する。これにより、画像処理装置１０は、ユーザの指示に基づいて処理を行う。
【０１５３】
そして、ユーザが、メニュー画面１２０（図２Ｂ）において“ログアウト”ボタン１２２を操作する。これにより、画像処理装置１０は、認証待機画面１１０を表示する（ステップＳ１３３）。具体的には、画像処理装置１０は、ログアウト処理を行い、タッチパネル制御部２７は、タッチパネル１５の表示画面を、メニュー画面１２０から認証待機画面１１０（図２Ａ）に切り替える。
【０１５４】
以上で、このシーケンスは終了する。
【０１５５】
このように、画像処理システム１では、スマートフォン４０のタッチパネル４４に印刷プレビュー画面４２０を表示させていない状態で、スマートフォン４０をリーダライタ８にかざすことにより、画像処理装置１０の表示画面を認証待機画面１１０（図２Ａ）からメニュー画面１２０（図２Ｂ）に切り替える。これにより、画像処理システム１では、ユーザが、認証待機画面１１０においてユーザ名ＵＮ及びパスワードＰＷを直接入力する必要がないため、ユーザの利便性を高めることができる。
【０１５６】
また、画像処理システム１では、スマートフォン４０をリーダライタ８にかざしたときの、タッチパネル４４の表示画面に応じて、画像処理装置１０が異なる処理を行うようにした。これにより、画像処理システム１では、画像処理装置１０がユーザの目的に応じた動作を行うことができるため、ユーザの利便性を高めることができる。すなわち、例えば、タッチパネル４４に印刷プレビュー画面４２０（図８Ｂ）を表示させた状態で、スマートフォン４０をリーダライタ８にかざした場合には、画像処理装置１０は、ユーザが印刷プレビュー画面４２０に係る画像を印刷したいと判断し、印刷データＤＰのやり取りを行う。また、例えば、タッチパネル４４に印刷プレビュー画面４２０を表示させない状態で、スマートフォン４０をリーダライタ８にかざした場合には、画像処理装置１０は、ユーザは、画像処理装置１０の様々な機能を使用したいと判断し、表示画面を認証待機画面１１０（図２Ａ）からメニュー画面１２０（図２Ｂ）に切り替える。これにより、画像処理システム１では、ユーザが画像処理装置１０のタッチパネル１５を直接操作する回数を効果的に減らすことができるため、ユーザの利便性を高めることができる。
【０１５７】
［効果］
以上のように本実施の形態では、スマートフォンをリーダライタにかざすことにより、画像処理装置の表示画面を認証待機画面に維持したまま、印刷データをやりとりすることができるようにしたので、ユーザの操作回数を減らすことができるため、ユーザの利便性を高めることができる。
【０１５８】
本実施の形態では、スマートフォンのタッチパネルに印刷プレビュー画面を表示させた状態で、スマートフォンをリーダライタにかざした場合に、ネットワーク設定情報をやりとりするようにしたので、ユーザがスマートフォンのネットワーク設定を行う必要がないため、ユーザの利便性を高めることができる。
【０１５９】
本実施の形態では、端末識別情報を用いて認証処理を行うようにしたので、ユーザ管理情報を編集して、例えばユーザ名やパスワードを変更した場合でも、ユーザがスマートフォンを操作して、ユーザ名やパスワードを再入力する必要がないため、ユーザの利便性を高めることができる。
【０１６０】
本実施の形態では、スマートフォンのタッチパネルに印刷プレビュー画面を表示させていない状態で、スマートフォンをリーダライタにかざすことにより、画像処理装置の表示画面を認証待機画面からメニュー画面に切り替えるようにしたので、ユーザが、認証待機画面においてユーザ名及びパスワードを直接入力する必要がないため、ユーザの利便性を高めることができる。
【０１６１】
本実施の形態では、スマートフォンをリーダライタにかざしたときの、タッチパネルの表示画面に応じて、画像処理装置が異なる処理を行うようにしたので、ユーザが画像処理装置のタッチパネルを直接操作する回数を効果的に減らすことができるため、ユーザの利便性を高めることができる。
【０１６２】
［変形例１］
上記実施の形態では、画像処理装置１０のタッチパネル１５が認証待機画面１１０（図２Ａ）を表示しているときに、スマートフォン４０をリーダライタ８にかざしたが、これに限定されるものではない。これに代えて、例えば、画像処理装置１０のタッチパネル１５がメニュー画面１２０（図２Ｂ）を表示しているときに、スマートフォン４０をリーダライタ８にかざしてもよい。
【０１６３】
例えば、画像処理装置１０のタッチパネル１５が、あるユーザＵ１に係るメニュー画面１２０を表示している場合において、そのユーザＵ１が所有するスマートフォン４０のタッチパネル４４に印刷プレビュー画面４２０を表示させた状態で、ユーザＵ１がそのスマートフォン４０をリーダライタ８にかざした場合には、画像処理装置１０は、その印刷プレビュー画面４２０に係る画像を印刷することができる。
【０１６４】
また、例えば、画像処理装置１０のタッチパネル１５が、あるユーザＵ１に係るメニュー画面１２０を表示している場合において、そのユーザＵ１とは異なるユーザＵ２が所有するスマートフォン４０のタッチパネル４４に印刷プレビュー画面４２０を表示させた状態で、ユーザＵ２がそのスマートフォン４０をリーダライタ８にかざした場合には、画像処理装置１０は、その印刷プレビュー画面４２０に係る画像を印刷することができる。
【０１６５】
また、例えば、画像処理装置１０のタッチパネル１５が、あるユーザＵ１に係るメニュー画面１２０を表示している場合において、そのユーザＵ１とは異なるユーザＵ２が所有するスマートフォン４０のタッチパネル４４に印刷プレビュー画面４２０を表示させていない状態で、ユーザＵ２がそのスマートフォン４０をリーダライタ８にかざした場合には、画像処理装置１０は、ユーザＵ１に係るメニュー画面１２０から、ユーザＵ２に係るメニュー画面１２０に切り替えてもよい。この場合、例えば、画像処理装置１０は、処理状況がビジーではない場合に、ユーザＵ１に係るメニュー画面１２０から、ユーザＵ２に係るメニュー画面１２０に切り替えてもよい。また、例えば、画像処理装置１０は、処理状況がビジーではない状態が所定の時間（例えば３０秒）以上継続した後に、スマートフォン４０をリーダライタ８にかざした場合に、ユーザＵ１に係るメニュー画面１２０から、ユーザＵ２に係るメニュー画面１２０に切り替えてもよい。また、この例では、ユーザＵ１に係るメニュー画面１２０から、ユーザＵ２に係るメニュー画面１２０に切り替えるようにしたが、これに代えて、ユーザＵ１に係るメニュー画面１２０から、ユーザＵ２に係るメニュー画面１２０に切り替えなくてもよい。
【０１６６】
［変形例２］
上記実施の形態では、画像処理装置１０は、ネットワーク設定情報ＩＮをスマートフォン４０に供給したが、これに限定されるものではない。これに代えて、例えば、画像処理装置１０は、ネットワーク設定情報ＩＮに加えて、ユーザ名ＵＮおよびパスワードＰＷをスマートフォン４０に供給してもよい。以下に、本変形例に係る画像処理システム１Ａについて詳細に説明する。
【０１６７】
図１５Ａ，１５Ｂは、動作例ＯＰ１における、画像処理システム１Ａの一動作例を表すものである。まず、画像処理システム１Ａのスマートフォン４０Ａでは、ＮＦＣエミュレーションサービスを動作させる（ステップＳ１０１）。一方、画像処理システム１Ａの画像処理装置１０Ａのタッチパネル１５は、認証待機画面１１０を表示する（ステップＳ１０２）。
【０１６８】
そして、ユーザが、スマートフォン４０Ａを操作して、画像送信アプリケーション６０Ａを起動し、印刷したい画像を選択して、タッチパネル４４に印刷プレビュー画面４２０（図８Ｂ）を表示させると、スマートフォン４０Ａは、無線情報要求フラグＦを“ＯＮ”に設定する（ステップＳ１０３）。
【０１６９】
ユーザがスマートフォン４０Ａをリーダライタ８にかざすと、画像処理システム１Ａの画像処理装置１０Ａは、スマートフォン４０Ａを検出し（ステップＳ１１１）、スマートフォン４０Ａから“ＣＣ  Ｆｉｌｅ”を読み出し（ステップＳ１１２）、“ＮＤＥＦ  Ｆｉｌｅ１”から、端末識別情報ＩＤおよび無線情報要求フラグＦを読み出す（ステップＳ１１３）。そして、画像処理装置１０Ａは、端末識別情報ＩＤに基づいて認証処理を行い（ステップＳ１１４）、無線情報要求フラグＦを確認する（ステップＳ１１５）。
【０１７０】
この例では、無線情報要求フラグＦが“ＯＮ”であるので、次に、画像処理装置１０Ａは、“ＮＤＥＦ  Ｆｉｌｅ２”に、ネットワーク設定情報ＩＮ、ユーザ名ＵＮ、およびパスワードＰＷを書き込む（ステップＳ１４６）。具体的には、画像処理装置１０Ａのリーダライタ制御部２６Ａは、無線通信設定部２４からネットワーク設定情報ＩＮを取得する。そして、リーダライタ制御部２６Ａは、“ＣＣ  Ｆｉｌｅ”のうちの“ＮＤＥＦ  Ｆｉｌｅ２”をセレクトし、この“ＮＤＥＦ  Ｆｉｌｅ２”に、図１６に示すように、ネットワーク設定情報ＩＮ、ユーザ名ＵＮ、およびパスワードＰＷを書き込む。
【０１７１】
次に、画像処理装置１０Ａは、スマートフォン４０Ａをリーダライタ８から外してもよい旨を示すブザー音を発生させる（ステップＳ１１７）。
【０１７２】
そして、ユーザが、スマートフォン４０Ａをリーダライタ８から外す。これにより、スマートフォン４０Ａのエミュレーション制御部５４は、近距離無線通信Ｃ１による接続が切断されたことを検出する（ステップＳ１１８）
【０１７３】
次に、図１５Ｂに示したように、スマートフォン４０Ａは、“ＮＤＥＦ  Ｆｉｌｅ２”からネットワーク設定情報ＩＮ、ユーザ名ＵＮ、およびパスワードＰＷを読み出す（ステップＳ１５１）。具体的には、画像送信アプリケーション６０Ａのタグデータ読出部６３は、ステップＳ１１６において“ＮＤＥＦ  Ｆｉｌｅ２”に書き込まれたネットワーク設定情報ＩＮを読み出す。
【０１７４】
次に、スマートフォン４０Ａは、無線ネットワーク通信Ｃ２により、画像処理装置１０Ａに接続する（ステップＳ１２２）。次に、スマートフォン４０Ａは、機密保持のために、“ＮＤＥＦ  Ｆｉｌｅ２”の情報を全て消去して初期化する（ステップＳ１２３）。
【０１７５】
次に、スマートフォン４０Ａは、印刷データＤＰを生成する（ステップＳ１２４）。具体的には、画像送信アプリケーション６０Ａの印刷データ生成部６６Ａは、タッチパネル４４が表示している印刷プレビュー画面４２０（図８Ｂ）におけるプレビュー画像４２１に係る画像データ、この印刷プレビュー画面４２０において設定された印刷パラメータ、ステップＳ１５１において取得したユーザ名ＵＮおよびパスワードＰＷに基づいて、印刷データＤＰを生成する。この例では、印刷データＤＰ（図９）において、“ジョブ種別”は認証ジョブＪ２に設定され、“認証情報”はユーザ名ＵＮおよびパスワードＰＷに設定される。
【０１７６】
次に、スマートフォン４０Ａは、印刷データＤＰを画像処理装置１０Ａに送信する（ステップＳ１２５）。
【０１７７】
次に、画像処理装置１０Ａは、印刷データＤＰからユーザ名ＵＮおよびパスワードＰＷを取得する（ステップＳ１５６）。具体的には、画像処理装置１０Ａの印刷データ解析部３６Ａは、印刷データＤＰ（図９）の“認証情報”から、ユーザ名ＵＮおよびパスワードＰＷを取得する。ユーザ名ＵＮおよびパスワードＰＷが暗号化されている場合には復号化をおこなう。
【０１７８】
次に、画像処理装置１０Ａは、ユーザ名ＵＮおよびパスワードＰＷに基づいて認証処理を行う（ステップＳ１５７）。具体的には、印刷データ解析部３６Ａは、ステップＳ１５６において取得したユーザ名ＵＮおよびパスワードＰＷを認証部３３に供給し、認証部３３に認証処理を依頼する。認証部３３は、認証処理を行い、その認証処理が成功した場合には、そのユーザが“プリント”機能を使用する権限を有しているか否かを確認する。そして、そのユーザが“プリント”機能を使用する権限を有している場合には、認証部３３は、認証処理が成功した旨を印刷データ解析部３６Ａに通知する。
【０１７９】
次に、画像処理装置１０Ａは、印刷データＤＰに基づいて、記録媒体に画像を形成する（ステップＳ１２８）。
【０１８０】
そして、ユーザは、スマートフォン４０Ａの画像送信アプリケーション６０Ａを操作することにより、印刷プレビュー画面４２０の表示を終了させる。これにより、スマートフォン４０Ａは、無線情報要求フラグＦを“ＯＦＦ”に設定する（ステップＳ１２９）。
【０１８１】
以上で、このシーケンスは終了する。
【０１８２】
［その他の変形例］
また、これらの変形例のうちの２以上を組み合わせてもよい。
【０１８３】
以上、実施の形態および変形例を挙げて本技術を説明したが、本技術はこれらの実施の形態等には限定されず、種々の変形が可能である。
【０１８４】
例えば、上記の実施の形態等では、本技術を多機能周辺装置である画像処理装置１０に適用したが、これに限定されるものではなく、これに代えて、例えば単機能のプリンタに適用してもよい。
【０１８５】
また、例えば、上記の実施の形態等では、スマートフォン４０のタッチパネル４４に印刷プレビュー画面４２０を表示させた状態で、スマートフォン４０をリーダライタ８にかざすことにより、印刷データＤＰのやりとりを行った。本技術は、印刷以外の様々な機能に適用することができる。例えば、本変形例に係るスマートフォン４０Ｂのタッチパネル４４に読取画面を表示させた状態で、スマートフォン４０Ｂをリーダライタ８にかざすことにより、本変形例に係る画像処理装置１０Ｂに対してプル型のスキャン処理を指示することができる。具体的には、スマートフォン４０Ｂのタッチパネル４４に読取画面を表示させると、無線情報要求フラグＦは“ＯＮ”に設定される。このとき、スマートフォン４０Ｂに表示される読取画面では、例えば、解像度や、カラー区分などの読取パラメータの設定を行うことができる。そして、画像処理装置１０Ｂは、近距離無線通信Ｃ１により、端末識別情報ＩＤおよび無線情報要求フラグＦを取得する。そして、画像処理装置１０Ｂは、端末識別情報ＩＤに基づいて認証処理を行った後に、この“ＯＮ”を示す無線情報要求フラグＦに基づいて、近距離無線通信Ｃ１により、スマートフォン４０Ｂにネットワーク設定情報ＩＮを供給する。スマートフォン４０Ｂは、このネットワーク設定情報ＩＮに基づいてネットワーク設定を行い、無線ネットワーク通信Ｃ２により画像処理装置１０Ｂに接続し、読取パラメータを画像処理装置１０Ｂに供給する。画像処理装置１０Ｂの画像読取部１７は、この読取パラメータに基づいて、読取媒体から情報を読み取り、読取データＤＲを生成する。そして、画像処理装置１０Ｂは、その読取データＤＲを無線ネットワーク通信Ｃ２によりスマートフォン４０Ｂに供給する。これにより、スマートフォン４０Ｂのタッチパネル４４には、読取データＤＲに係る画像が表示される。この場合にも、例えば、画像処理装置１０Ｂの表示画面を認証待機画面１１０に維持したまま、スキャン処理を行うことができる。また、印刷データＤＰおよび読取データＤＲの両方をやりとりできるようにしてもよい。
【符号の説明】
【０１８６】
１…画像処理システム、８…リーダライタ、９…パーソナルコンピュータ、１０，１０Ａ，１０Ｂ…画像処理装置、１１…有線ネットワークインタフェース、１２…無線ネットワークインタフェース、１３…ＵＳＢインタフェース、１４…ＦＡＸインタフェース、１５…タッチパネル、１６…記憶部、１６Ａ…ユーザ管理情報、１６Ｂ…ログ情報、１７…画像読取部、１８…画像形成部、１９…制御部、２１…ＴＣＰ／ＩＰ有線通信部、２２…有線通信設定部、２３…ＴＣＰ／ＩＰ無線通信部、２４…無線通信設定部、２５…ＵＳＢ通信部、２６…リーダライタ制御部、２７…タッチパネル制御部、２９…ＴＣＰ／ＩＰ通信制御部、３１…ＷＥＢサーバ部、３２…ユーザ情報設定部、３３…認証部、３４…認証実行部、３５…ユーザ情報管理部、３６…印刷データ解析部、３７…印刷実行部、３８…ログ出力部、４０，４０Ａ，４０Ｂ…スマートフォン、４１…携帯電話通信ユニット、４２…無線ネットワークインタフェース、４３…ＮＦＣ通信ユニット、４４…タッチパネル、４５…記憶部、４６…撮像部、４９…制御部、５１…ＴＣＰ／ＩＰ無線通信部、５２…無線通信設定部、５３…ＮＦＣ通信部、５４…エミュレーション制御部、５５…タッチパネル制御部、５６…画像表示アプリケーション、５７…カメラアプリケーション、５８…メールアプリケーション、６０…画像送信アプリケーション、６１…エミュレーション設定部、６２…タグデータ書込部、６３…タグデータ読出部、６４…印刷プレビュー処理部、６５…端末識別情報管理部、６６…印刷データ生成部、６７…印刷データ送信部、７０…ＮＤＥＦタグアプリケーション、１１０…認証待機画面、１１１…ユーザ名入力欄、１１２…パスワード入力欄、１１３…“ログイン”ボタン、１１４…メッセージ、１２０…メニュー画面、１２１…機能アイコン、１２２…“ログアウト”ボタン、２１０…管理者認証画面、２１１…ユーザ名入力欄、２１２…パスワード入力欄、２１３…“ログイン”ボタン、２２０…ユーザ管理画面、２２１…“追加”ボタン、２２２…“変更”ボタン、２２３…“削除”ボタン、２３０…ユーザ情報編集画面、２３１…ユーザ名入力欄、２３２…パスワード入力欄、２３３…端末識別情報入力欄、２３４…“ユーザ種別”ラジオボタン２３４、２３５…“実行”ボタン、２３６…“中止”ボタン、４１０…ホーム画面、４１１…“ファイル”メニュー、４１２…“Ｗｅｂ”メニュー、４１３…“カメラ”メニュー、４１４…“端末識別情報を表示する”ボタン、４２０…印刷プレビュー画面、４２１…プレビュー画像、４２２…“カラー区分”プルダウンメニュー、４２３…“記録媒体サイズ”プルダウンメニュー、４２４…印刷部数変更ボタン、４３０…端末識別情報表示画面、４３１…“メール”アイコン、ＡＩＤ…アプリケーション識別情報、Ｃ１…近距離無線通信、Ｃ２…無線ネットワーク通信、ＤＰ…印刷データ、ＤＲ…読取データ、Ｆ…無線情報要求フラグ、ＩＡ…使用権限情報、ＩＤ…端末識別情報、ＩＮ…ネットワーク設定情報、ＩＵ…ユーザ情報、ＮＥＴ…有線ネットワーク、ＰＷ…パスワード、ＵＮ…ユーザ名、ＵＴ…ユーザ種別。
【図１】
2018086783.tif 000003
【図２Ａ】
2018086783.tif 000004
【図２Ｂ】
2018086783.tif 000005
【図３】
2018086783.tif 000006
【図４】
2018086783.tif 000007
【図５】
2018086783.tif 000008
【図６】
2018086783.tif 000009
【図７Ａ】
2018086783.tif 000010
【図７Ｂ】
2018086783.tif 000011
【図７Ｃ】
2018086783.tif 000012
【図８Ａ】
2018086783.tif 000013
【図８Ｂ】
2018086783.tif 000014
【図８Ｃ】
2018086783.tif 000015
【図９】
2018086783.tif 000016
【図１０】
2018086783.tif 000017
【図１１】
2018086783.tif 000018
【図１２】
2018086783.tif 000019
【図１３Ａ】
2018086783.tif 000020
【図１３Ｂ】
2018086783.tif 000021
【図１４】
2018086783.tif 000022
【図１５Ａ】
2018086783.tif 000023
【図１５Ｂ】
2018086783.tif 000024
【図１６】
2018086783.tif 000025